(57)【要約】【課題】受信可能なワンセグメント放送を、迅速に提示する。【解決手段】ステーション情報取得部１１１ないし１１３は、任意のセグメントでの任意ワンセグ放送の放送波を送信するステーションからの放送波を受信することが可能な放送エリアの情報である放送エリア情報を少なくとも含む、ステーションに関するステーション情報を取得する。ステーション選択部１１７は、放送エリア情報を用い、所定の位置において受信可能なワンセグメント放送のステーションを、選局が可能な選局可能ステーションとして選択し、選局制御部１１８は、選局可能ステーションのワンセグメント放送を選局する選局制御を行う。本発明は、例えば、携帯可能なワンセグ放送の受信端末等に適用できる。【選択図】図２３
2011211627.tif 000002
【特許請求の範囲】
【請求項１】
任意のセグメントでのワンセグメント放送の放送波を送信するステーションからの前記放送波を受信することが可能な放送エリアの情報である放送エリア情報を少なくとも含む、前記ステーションに関するステーション情報を取得するステーション情報取得手段と、
前記ステーション情報を記憶する記憶手段と、
前記放送エリア情報を用い、所定の位置において受信可能な前記ワンセグメント放送のステーションを、選局が可能な選局可能ステーションとして選択するステーション選択手段と、
前記選局可能ステーションの前記ワンセグメント放送を選局する選局制御を行う選局制御手段と
を備える前記ワンセグメント放送の受信装置。
【請求項２】
前記選局制御手段は、
前記選局可能ステーションの情報を表示させ、
前記選局可能ステーションの情報の表示から、ユーザが選択したステーションの前記ワンセグメント放送を選局させる
請求項１に記載の受信装置。
【請求項３】
前記ステーション選択手段は、前記放送エリア情報を用い、ユーザが選択した地域において受信可能な前記ワンセグメント放送のステーションを、選局可能ステーションとして選択する
請求項２に記載の受信装置。
【請求項４】
前記選局制御手段は、
前記選局可能ステーションによるワンセグメント放送が受信可能かどうかを確認する受信確認を行い、
ワンセグメント放送の受信を確認することができた前記選局可能ステーションのみの情報を表示させる
請求項２に記載の受信装置。
【請求項５】
前記選局制御手段は、前記選局可能ステーションの前記ワンセグメント放送を、順次選局させる
請求項１に記載の受信装置。
【請求項６】
前記ステーション情報は、前記ステーションが前記ワンセグメント放送を行っている期間である有効期間を、さらに含み、
前記記憶手段に記憶された前記ステーション情報のうちの、前記有効期間が経過した前記ステーション情報を削除する、前記ステーション情報の更新を行う更新手段をさらに備える
請求項１に記載の受信装置。
【請求項７】
前記放送エリア情報は、前記ステーションの位置を表す情報、及び、前記ステーションによる前記放送波の送信出力を表す情報である
請求項１に記載の受信装置。
【請求項８】
前記ステーション情報は、そのステーション情報に対応する前記ステーションによるワンセグメント放送の周波数を、さらに含み、
前記選局制御手段は、前記ステーション情報に含まれる周波数を用いて、前記ワンセグメント放送を選局する
請求項１に記載の受信装置。
【請求項９】
ワンセグメント放送の受信装置が、
任意のセグメントでのワンセグメント放送の放送波を送信するステーションからの前記放送波を受信することが可能な放送エリアの情報である放送エリア情報を少なくとも含む、前記ステーションに関するステーション情報を取得し、
前記ステーション情報を記憶し、
前記放送エリア情報を用い、所定の位置において受信可能な前記ワンセグメント放送のステーションを、選局が可能な選局可能ステーションとして選択し、
前記選局可能ステーションの前記ワンセグメント放送を選局する選局制御を行う
ステップを含む受信方法。
【請求項１０】
任意のセグメントでのワンセグメント放送の放送波を送信するステーションからの前記放送波を受信することが可能な放送エリアの情報である放送エリア情報を少なくとも含む、前記ステーションに関するステーション情報を取得するステーション情報取得手段と、
前記ステーション情報を記憶する記憶手段と、
前記放送エリア情報を用い、所定の位置において受信可能な前記ワンセグメント放送のステーションを、選局が可能な選局可能ステーションとして選択するステーション選択手段と、
前記選局可能ステーションの前記ワンセグメント放送を選局する選局制御を行う選局制御手段と
して、コンピュータを機能させるためのプログラム。
【請求項１１】
任意の１以上のセグメントそれぞれでのワンセグメント放送の放送波を送信するステーションからの放送波を受信することが可能な放送エリアの情報である放送エリア情報を少なくとも含む、前記ステーションに関するステーション情報を取得するステーション情報取得手段と、
前記ステーションの前記ステーション情報を、そのステーションによるワンセグメント放送に用いられる前記１以上のセグメントのうちの１つのセグメントである代表セグメントで送信する送信手段と
を備える前記ステーションである送信装置。
【請求項１２】
前記送信手段は、他のステーションの前記ステーション情報も、前記代表セグメントで送信する
請求項１１に記載の送信装置。
【請求項１３】
任意の１以上のセグメントそれぞれでのワンセグメント放送の放送波を送信するステーションである送信装置が、
前記ステーションからの放送波を受信することが可能な放送エリアの情報である放送エリア情報を少なくとも含む、前記ステーションに関するステーション情報を取得し、
前記ステーションの前記ステーション情報を、そのステーションによるワンセグメント放送に用いられる前記１以上のセグメントのうちの１つのセグメントである代表セグメントで送信する
ステップを含む送信方法。
【請求項１４】
任意の１以上のセグメントそれぞれでのワンセグメント放送の放送波を送信するステーションからの放送波を受信することが可能な放送エリアの情報である放送エリア情報を少なくとも含む、前記ステーションに関するステーション情報を取得するステーション情報取得手段と、
前記ステーションの前記ステーション情報を、そのステーションによるワンセグメント放送に用いられる前記１以上のセグメントのうちの１つのセグメントである代表セグメントで送信する送信手段と
を備える前記ステーションである送信装置
として、コンピュータを機能させるためのプログラム。
【発明の詳細な説明】
【技術分野】
【０００１】
本発明は、受信装置、受信方法、送信装置、送信方法、及び、プログラムに関し、特に、受信可能なワンセグメント放送を、迅速に提示することができるようにする受信装置、受信方法、送信装置、送信方法、及び、プログラムに関する。
【背景技術】
【０００２】
地上ディジタル放送では、UHF（Ultra High Frequency）帯の約6MHzの周波数帯域（以下、物理チャンネルともいう）が、１３セグメントに分割され、そのうちの、１２セグメントで、テレビジョン受像機等の固定端末向けの放送が行われる。そして、残りの１セグメントで、携帯端末向けの放送、すなわち、ワンセグメント放送（以下、ワンセグ放送ともいう）が行われる。
【０００３】
現在、携帯端末向けの放送として行われているワンセグ放送では、固定端末向け放送と同一の内容が放送されており、物理チャンネルの１３セグメントの中央のセグメント（周波数の昇順で、７番目のセグメント）が用いられている。
【０００４】
ここで、現在行われている、中央のセグメント（以下、中央セグメントともいう）で行われているワンセグ放送を、通常ワンセグ放送ともいう。
【０００５】
地上アナログ放送から地上ディジタル放送に、完全に移行した後は、地上ディジタル放送は、UHF帯の１３ないし５２チャンネルと呼ばれる物理チャンネルで行われることとなる。
【０００６】
しかしながら、各地域では、１３ないし５２チャンネルのすべてが、地上ディジタル放送に、実際に用いられるわけではなく、したがって、地上ディジタル放送に用いられない物理チャンネルである空きチャンネルが生じる。
【０００７】
現在、この空きチャンネルの有効利用する方法が検討されており、その１つとして、空きチャンネルの任意のセグメントを用いて、ワンセグ放送を行うことが検討されている。
【０００８】
ここで、地上ディジタル放送の物理チャンネルは、１３セグメントを有するから、１つの物理チャンネルによれば、最大で、１３のワンセグ放送を行うことができる。１つの物理チャンネルの１３セグメントのうちの、複数のセグメントそれぞれを用いて行う複数のワンセグ放送は、マルチセグメント放送と呼ばれる。
【０００９】
なお、１３セグメントのうちの、任意の１以上のセグメントそれぞれを用いて行うワンセグ放送を、任意ワンセグ放送ともいい、任意ワンセグ放送には、マルチセグメント放送も含まれることとする。
【００１０】
通常ワンセグ放送を受信する従来の受信端末（以下、通常ワンセグ端末ともいう）では、ユーザが通常ワンセグ放送を選局するために、周波数等の選局に関する情報である選局情報を取得するチャンネルスキャンが行われ、選局情報のテーブル（以下、選局テーブルともいう）が作成される（例えば、特許文献１や２を参照）。
【００１１】
通常ワンセグ端末のチャンネルスキャンでは、地上ディジタル放送の各物理チャンネルの中央セグメントが選局（チューニング）され、その中央セグメントにおいて、TS(Transport Stream)を受信することができた場合には、そのTSから、サービスが伝送されるキャリアをチューニングするためのサービスごとの周波数情報と対応サービスについての情報が含まれたテーブルであるNIT(Network Information Table)、及び、各サービスのメタ情報（サービス名等）が含まれたテーブルであるSDT(Service Description Table)が抽出され、そのNIT及びSDTから、選局テーブルが作成される。
【００１２】
任意ワンセグ放送を受信する受信端末を実現した場合も、通常ワンセグ端末と同様に、選局テーブルを作成する必要がある。
【００１３】
しかしながら、任意ワンセグ放送は、物理チャンネルの１３セグメントのうちの任意のセグメントで行われるため、単純には、チャンネルスキャンにおいて、各物理チャンネルの中央セグメントだけでなく、１３セグメントのすべてを選局する必要があり、通常ワンセグ端末のチャンネルスキャンと比較して、膨大な時間を要する。
【００１４】
このため、任意ワンセグ放送のチャンネルスキャンを、迅速に（短時間で）行う方法の提案が要請されている。
【先行技術文献】
【特許文献】
【００１５】
【特許文献１】特開2006-325032号公報
【特許文献２】特開2007-329847号公報
【発明の概要】
【発明が解決しようとする課題】
【００１６】
ところで、任意ワンセグ放送の放送波を送信する送信装置であるステーション（のアンテナ）を中心とする数10mないし数km程度のエリアを、任意ワンセグ放送（の放送波）を受信することができる放送エリアとして行う任意ワンセグ放送（以下、エリア限定放送ともいう）が提案されている。
【００１７】
エリア限定放送は、任意ワンセグ放送の範疇に含まれるから、エリア限定放送を受信する受信端末でも、任意ワンセグ放送を受信する場合と同様に、選局テーブルを作成する必要があるが、エリア限定放送では、放送エリアが狭いために、数10mないし数km程度移動しただけで、いままで受信することができた放送を受信することができなくなり、また、新たな放送を受信することが可能となる。したがって、移動前に作成した選局テーブルが、移動後に利用することができなくなることがある。
【００１８】
すなわち、いま、ユーザが、いわゆるチャンネルボタンを操作して選局しようとする放送を、論理チャンネルということとすると、エリア限定放送を受信する受信端末において、移動前に作成した選局テーブルに基づき、その移動前に受信可能であったエリア限定放送である論理チャンネルを、移動後に提示し、ユーザが、その論理チャンネルを選局するように操作しても、その論理チャンネルを受信することができないことがある。
【００１９】
したがって、移動後に受信可能な論理チャンネルを、ユーザに提示するには、移動後に、再度、チャンネルスキャンを行う必要がある。
【００２０】
しかしながら、移動するたびに、チャンネルスキャンを行うのでは、ユーザに受信可能な論理チャンネルを提示するのに時間を要することとなる。
【００２１】
本発明は、このような状況に鑑みてなされたものであり、受信可能なワンセグメント放送を、迅速に提示することができるようにするものである。
【課題を解決するための手段】
【００２２】
本発明の第１の側面の受信装置、又は、プログラムは、任意のセグメントでのワンセグメント放送の放送波を送信するステーションからの前記放送波を受信することが可能な放送エリアの情報である放送エリア情報を少なくとも含む、前記ステーションに関するステーション情報を取得するステーション情報取得手段と、前記ステーション情報を記憶する記憶手段と、前記放送エリア情報を用い、所定の位置において受信可能な前記ワンセグメント放送のステーションを、選局が可能な選局可能ステーションとして選択するステーション選択手段と、前記選局可能ステーションの前記ワンセグメント放送を選局する選局制御を行う選局制御手段とを備える前記ワンセグメント放送の受信装置、又は、受信装置として、コンピュータを機能させるためのプログラムである。
【００２３】
本発明の第１の側面の受信方法は、ワンセグメント放送の受信装置が、任意のセグメントでのワンセグメント放送の放送波を送信するステーションからの前記放送波を受信することが可能な放送エリアの情報である放送エリア情報を少なくとも含む、前記ステーションに関するステーション情報を取得し、前記ステーション情報を記憶し、前記放送エリア情報を用い、所定の位置において受信可能な前記ワンセグメント放送のステーションを、選局が可能な選局可能ステーションとして選択し、前記選局可能ステーションの前記ワンセグメント放送を選局する選局制御を行うステップを含む受信方法である。
【００２４】
以上のような第１の側面においては、任意のセグメントでのワンセグメント放送の放送波を送信するステーションからの前記放送波を受信することが可能な放送エリアの情報である放送エリア情報を少なくとも含む、前記ステーションに関するステーション情報が取得され、前記ステーション情報が記憶される。そして、前記放送エリア情報を用い、所定の位置において受信可能な前記ワンセグメント放送のステーションが、選局が可能な選局可能ステーションとして選択され、前記選局可能ステーションの前記ワンセグメント放送を選局する選局制御が行われる。
【００２５】
本発明の第２の側面の送信装置、又は、プログラムは、任意の１以上のセグメントそれぞれでのワンセグメント放送の放送波を送信するステーションからの放送波を受信することが可能な放送エリアの情報である放送エリア情報を少なくとも含む、前記ステーションに関するステーション情報を取得するステーション情報取得手段と、前記ステーションの前記ステーション情報を、そのステーションによるワンセグメント放送に用いられる前記１以上のセグメントのうちの１つのセグメントである代表セグメントで送信する送信手段とを備える前記ステーションである送信装置、又は、送信装置として、コンピュータを機能させるためのプログラムである。
【００２６】
本発明の第２の側面の送信方法は、任意の１以上のセグメントそれぞれでのワンセグメント放送の放送波を送信するステーションである送信装置が、前記ステーションからの放送波を受信することが可能な放送エリアの情報である放送エリア情報を少なくとも含む、前記ステーションに関するステーション情報を取得し、前記ステーションの前記ステーション情報を、そのステーションによるワンセグメント放送に用いられる前記１以上のセグメントのうちの１つのセグメントである代表セグメントで送信するステップを含む送信方法である。
【００２７】
以上のような第２の側面においては、任意の１以上のセグメントそれぞれでのワンセグメント放送の放送波を送信するステーションからの放送波を受信することが可能な放送エリアの情報である放送エリア情報を少なくとも含む、前記ステーションに関するステーション情報が取得され、前記ステーションの前記ステーション情報が、そのステーションによるワンセグメント放送に用いられる前記１以上のセグメントのうちの１つのセグメントである代表セグメントで送信される。
【００２８】
なお、受信装置や、送信装置は、独立した装置であっても良いし、１つの装置を構成している内部ブロックであっても良い。
【００２９】
また、プログラムは、伝送媒体を介して伝送することにより、又は、記録媒体に記録して、提供することができる。
【発明の効果】
【００３０】
本発明の第１及び第２の側面によれば、受信可能なワンセグメント放送を、迅速に提示することができる。
【図面の簡単な説明】
【００３１】
【図１】選局テーブル作成処理を説明するフローチャートである。
【図２】選局テーブルの例を示す図である。
【図３】通常ワンセグ端末のチャンネルスキャンを説明する図である。
【図４】本発明を適用した送受信システムの一実施の形態の構成例を示す図である。
【図５】地上ディジタル放送の帯域の割り当てについて説明する図である。
【図６】任意ワンセグ放送に用いるセグメントの割り当ての例を示す図である。
【図７】エリア限定放送の選局情報の取得方法について説明する図である。
【図８】エリア限定放送用の物理チャンネルの中央セグメントで送信されるNITについて説明する図である。
【図９】中央セグメントと中央外セグメントのNITとSDTの構成を示す図である。
【図１０】受信端末３３と、通常ワンセグ端末１００それぞれのチャンネルスキャンを示す図である。
【図１１】選局テーブルの例を示す図である。
【図１２】通常ワンセグ放送の放送エリアと、通常ワンセグ放送のみを受信する通常ワンセグ端末１００を所持するユーザの移動の軌跡である動線とを示す図である。
【図１３】エリア限定放送の放送エリアと、エリア限定放送を受信することができる受信端末３３を所持するユーザの移動の軌跡である動線とを示す図である。
【図１４】ステーション情報の例を示す図である。
【図１５】ステーション情報のシンタクスの例を示す図である。
【図１６】受信端末３３が、ステーション情報を取得する取得方法を説明する図である。
【図１７】NITのデータ構造を示す図である。
【図１８】ステーション３２によるステーション情報STiの送信の方法を説明する図である。
【図１９】ステーション３２の詳細構成例を示すブロック図である。
【図２０】ステーション３２の送信処理を説明するフローチャートである。
【図２１】受信端末３３の詳細構成例を示すブロック図である。
【図２２】受信端末３３でのステーション情報の取得と利用を説明する図である。
【図２３】制御部８０の、ステーション情報を用いた選局制御を行う部分の機能的構成例を示すブロック図である。
【図２４】受信端末３３が、チャンネルスキャンによってステーション情報を取得して、サービスを受信する処理を説明するフローチャートである。
【図２５】受信端末３３が、チャンネルスキャンによってステーション情報を取得して、サービスを受信する場合の、表示部７６の表示例を示す図である。
【図２６】受信端末３３が、ダイレクト方式でステーション情報を取得して、サービスを受信する処理を説明するフローチャートである。
【図２７】受信端末３３が、その他方式でステーション情報を取得する処理を説明するフローチャートである。
【図２８】個別選択モードの選局処理を説明するフローチャートである。
【図２９】個別選択モードの選局処理が行われる場合の、表示部７６の表示例を示す図である。
【図３０】順次選択モードの選局処理を説明するフローチャートである。
【図３１】順次選択モードの選局処理が行われる場合の、表示部７６の表示例を示す図である。
【図３２】地図表示モードの選局処理を説明するフローチャートである。
【図３３】地図表示モードの選局処理が行われる場合の、表示部７６の表示例を示す図である。
【図３４】GPSモードの選局処理を説明するフローチャートである。
【図３５】コンピュータのハードウエアの構成例を示すブロック図である。
【発明を実施するための形態】
【００３２】
［通常ワンセグ端末のチャンネルスキャン］
【００３３】
まず、通常ワンセグ放送を受信する従来の受信端末である通常ワンセグ端末のチャンネルスキャンについて説明する。
【００３４】
図１は、通常ワンセグ端末のチャンネルスキャンを説明するフローチャートである。
【００３５】
ステップＳ１１において、通常ワンセグ端末は、UHF帯の１３ないし５２チャンネルの物理チャンネルのうちの、１つの物理チャンネルである、例えば、最も周波数の低い物理チャンネルを、処理の対象とする対象物理チャンネルに選択し、処理は、ステップＳ１２に進む。
【００３６】
ステップＳ１２では、通常ワンセグ端末は、対象物理チャンネルの中央セグメントを選局し、ステップＳ１３に進む。
【００３７】
ステップＳ１３では、通常ワンセグ端末は、対象物理チャンネルの中央セグメントのTSを受信することができたかどうかを判定し、受信することができなかったと判定した場合、処理は、ステップＳ１４をスキップして、ステップＳ１５に進む。
【００３８】
また、ステップＳ１３において、対象物理チャンネルの中央セグメントのTSを受信することができたと判定された場合、処理は、ステップＳ１４に進み、通常ワンセグ端末は、中央セグメントで受信したTSから、NIT actualとして記述されている自セグメント（TSを受信したセグメント）のNIT（Network Information Table）と、SDT actualとして記述されている自セグメントのSDT（Service Description Table）を取得（抽出）し、処理は、ステップＳ１５に進む。
【００３９】
ステップＳ１５では、通常ワンセグ端末は、UHF帯の１３ないし５２チャンネルの全ての物理チャンネルを対象物理チャンネルとしたかどうかを判定する。
【００４０】
ステップＳ１５において、対象物理チャンネルとしていない物理チャンネルがあると判定された場合、処理は、ステップＳ１６に進み、通常ワンセグ端末は、例えば、周波数が、現在の対象物理チャンネルの次に高い物理チャンネルを、新たな対象物理チャンネルに選択し、処理は、ステップＳ１２に戻る。
【００４１】
一方、ステップＳ１５において、全ての物理チャンネルを対象物理チャンネルとしたと判定された場合、処理は、ステップＳ１７に進み、通常ワンセグ端末は、ステップＳ１４で取得されたNITとSDTに基づいて選局テーブルを作成し、チャンネルスキャンを終了する。
【００４２】
図２は、NITとSDTに基づいて作成される選局テーブルを示す図である。
【００４３】
NITには、自セグメントに対応する、ネットワークに固有のIDであるネットワークID、TSに固有のIDであるTSID、周波数、（放送）サービスに固有のサービスIDなどが記述されている。また、SDTには、自セグメントに対応する、TSID、サービスID、そのサービスIDに対応するサービス名等が記述されている。
【００４４】
通常ワンセグ端末は、各物理チャンネルの中央セグメントのNITから、サービスIDと選局のための周波数を取得するとともに、そのNITに対応するSDTからサービス名を取得して対応付け、それらのサービスID、サービス名、及び、周波数を、選局情報として、選局テーブルに登録する。
【００４５】
なお、図２では、周波数がF1の物理チャンネルCH-1の中央セグメントは、サービスIDがID1とID2である２つのサービスで利用されるため、周波数がF1の物理チャンネルCH-1の中央セグメントのNITには、２つのサービスID1及びID2が記述されている。
【００４６】
通常ワンセグ端末では、例えば、選局テーブルのサービス名が、論理チャンネルの名前（番組表の、「○○TV」や、「××チャンネル」等）として提示され、ユーザが、サービス名のサービス（論理チャンネル）を選局するように操作すると、選局テーブルにおいて、そのサービス名に対応付けられている周波数の選局が行われる。
【００４７】
図３は、通常ワンセグ端末のチャンネルスキャンを説明する図である。
【００４８】
図１で説明したように、通常ワンセグ端末は、地上ディジタル放送の各物理チャンネルの中央セグメントを、周波数の低い順に選局していき、中央セグメントにおいて、TSを受信することができた場合には、そのTSから、NIT及びSDTを取得する。
【００４９】
そして、通常ワンセグ端末は、以上のようにして、TSから取得したNIT及びSDTから、選局テーブルを作成する。
【００５０】
したがって、通常ワンセグ端末では、任意ワンセグ放送が、中央セグメントで行われている場合には、その任意ワンセグ放送の選局情報を取得することができるが、中央セグメント以外のセグメント（図３において、斜線を付してある部分）で行われている任意ワンセグ放送については、選局情報を取得することができない。
【００５１】
［本発明を適用した送受信システムの一実施の形態の構成例］
【００５２】
図４は、本発明を適用した送受信システムの一実施の形態の構成例を示す図である。
【００５３】
図４において、送受信システム３０は、地上波放送局３１、ステーション３２−１，３２−２，３２−３、及び、受信端末３３により構成される。
【００５４】
地上波放送局３１は、地上ディジタル放送を行う放送局であり、１２セグメントで、固定端末向けの放送を行うとともに、１セグメントで、携帯端末向けの放送（通常ワンセグ放送）を行う。
【００５５】
ステーション３２−１ないし３２−３は、任意ワンセグ放送の放送波を送信する送信装置であり、地上ディジタル放送の空きチャンネルの任意の１以上のセグメントそれぞれで、ワンセグ放送であるエリア限定放送を行う。
【００５６】
すなわち、ステーション３２−１は、放送エリアＡでのみ受信可能なエリア限定放送を行う。
【００５７】
ステーション３２−２は、放送エリアＢでのみ受信可能なエリア限定放送を行い、ステーション３２−３は、放送エリアＣでのみ受信可能なエリア限定放送を行う。
【００５８】
なお、ステーション３２−１ないし３２−３を特に区別する必要がない場合、それらをまとめてステーション３２という。
【００５９】
ここで、エリア限定放送としては、例えば、テーマパークでのみ受信可能な、そのテーマパークに関する放送や、ある区や市でのみ受信可能な、その区や市に展開する店舗に関する放送等がある。
【００６０】
エリア限定放送では、放送エリアが重複しないステーションどうしでは、同一のセグメントで放送を行うことができる。
【００６１】
すなわち、例えば、図４では、放送エリアＡとＢとは、重複していないので、放送エリアＡのステーション３２−１と、放送エリアＢのステーション３２−２とでは、同一のセグメントで、エリア限定放送を行うことができる。
【００６２】
また、図４では、放送エリアＢとＣとは、重複していないので、放送エリアＢのステーション３２−２と、放送エリアＣのステーション３２−３とでは、同一のセグメントで、エリア限定放送を行うことができる。
【００６３】
但し、図４では、放送エリアＡとＣとは、一部が重複しているので、放送エリアＡのステーション３２−１と、放送エリアＣのステーション３２−３とでは、（同時に放送を行う限り、）エリア限定放送に、同一のセグメントを用いることはできない。
【００６４】
受信端末３３は、通常ワンセグ放送、及び、エリア限定放送のいずれをも受信可能な携帯端末である。
【００６５】
例えば、図４に示すように、受信端末３３を所持したユーザが、放送エリアＡにいる場合、受信端末３３は、通常ワンセグ放送と、放送エリアＡのステーション３２−１によるエリア限定放送とを受信することができる。
【００６６】
なお、受信端末３３が、通常ワンセグ放送を受信するための処理は、通常ワンセグ放送を受信する従来の受信端末（通常ワンセグ端末）と同様であるため、以下では、その説明は省略する。
【００６７】
［任意ワンセグ放送に用いるセグメントの説明］
【００６８】
図５は、図４の送受信システム３０における地上ディジタル放送の帯域の割り当てについて説明する図である。
【００６９】
図５に示すように、送受信システム３０において、地上ディジタル放送の全帯域のうち、地上ディジタル放送に使用される物理チャンネルでは、中央の１セグメント分の帯域で通常ワンセグ放送が行われ、残りの１２セグメント分の帯域で固定端末向けの放送が行われる。
【００７０】
空きチャンネルについては、１以上のセグメントのそれぞれを、エリア限定放送に用いることができる。１つの空きチャンネルにおいて、エリア限定放送に用いることができるセグメント（論理チャンネル）の最大数は、１３チャンネルである。
【００７１】
図６は、任意ワンセグ放送に用いるセグメントの割り当ての例を示す図である。
【００７２】
ステーション３２が、任意ワンセグ放送であるエリア限定放送に用いるセグメントとしては、空きチャンネルの任意のセグメントを割り当てることができるが、あるステーションが、他の１以上のステーションを、いわば傘下におく場合等には、あるステーションには、中央セグメントを割り当てることができる。
【００７３】
すなわち、例えば、図６に示すように、ステーション３２−１が、所定の地区を放送エリアＡとする、いわば中心局であり、ステーション３２−２及び３２−３が、それぞれ、その地区内の建物やアミューズメントパーク等を放送エリアＢ及びＣとする、いわば、ローカル局であり、放送エリアＡが、放送エリアＢ及びＣを含んでいる場合には、中心局であるステーション３２−１に、所定の空きチャンネルの中央セグメントを含む１以上のセグメントを割り当て、ローカル局であるステーション３２−２及び３２−３には、その空きチャンネルの、ステーション３２−１に割り当てたセグメント以外のセグメントを割り当てることができる。
【００７４】
［選局情報の取得方法]
【００７５】
図７は、エリア限定放送の選局情報の取得方法を説明する図である。
【００７６】
図７に示すように、エリア限定放送の選局情報の取得方法としては、主に、第１、第２、及び、第３の３つの方法がある。
【００７７】
第１の方法は、地上ディジタル放送の放送波をスキャンするチャンネルスキャンにより選局情報を取得する方法である。
【００７８】
第１の方法では、受信端末３３は、地上ディジタル放送の各物理チャンネルの各セグメントを選局し、受信可能なエリア限定放送の選局情報を取得する。
【００７９】
第１の方法によれば、受信端末３３を所持するユーザは、自分の位置で受信可能なエリア限定放送があるかどうかを意識する必要なく、受信可能なエリア限定放送の選局情報を自動的に取得することができる。
【００８０】
但し、第１の方法では、ユーザは、移動するたびに、地上ディジタル放送の各物理チャンネルの各セグメントを選局しなければならず、受信可能なエリア限定放送の選局情報を取得するのに、時間を要する。
【００８１】
第２の方法は、選局情報を受信端末３３に埋め込む（あらかじめ記憶させておく）方法である。
【００８２】
第２の方法では、受信端末３３に、あらかじめ選局情報を記憶させるため、選局情報を取得する時間を要しない。
【００８３】
但し、受信端末３３を所持するユーザが、あらかじめ記憶された選局情報の中から、ある論理チャンネルを選局する操作をしても、その論理チャンネルの放送エリア外では、その論理チャンネル（エリア限定放送）を受信することができないことがある。
【００８４】
第３の方法は、放送波以外の手段、すなわち、例えば、インターネットを介した通信や、非接触IC(Integrated Circuit)カードとの通信等により、選局情報を取得する方法である。
【００８５】
第３の方法によれば、第１の方法に比較して、選局情報を、迅速に取得することができる。
【００８６】
但し、第３の方法でも、第２の方法と同様に、受信端末３３を所持するユーザが、ある論理チャンネルを選局する操作をしても、その論理チャンネルを受信することができないことがある。
【００８７】
以上のように、地上ディジタル放送の各物理チャンネルの各セグメントを選局するチャンネルスキャンを行う第１の方法は、他の第２及び第３の方法に比較して、選局情報を取得するのに、時間を要する。
【００８８】
そこで、受信端末３３において、チャンネルスキャンによって、より迅速に、選局情報を取得する方法について説明する。
【００８９】
[ステーション３２が送信するNIT及びSDTの説明]
【００９０】
図８は、図４のステーション３２に送信させるNITを説明する図である。
【００９１】
いま、例えば、ある物理チャンネルを構成する１３個のセグメントs1ないしs13のそれぞれで、ある放送エリアで受信可能なエリア限定放送が行われることとすると、中央セグメントが割り当てられたステーション３２は、以下のようなNIT-0とNIT-1を、中央セグメントs7で送信する。
【００９２】
NIT-0は、ネットワークID、マルチセグメント情報記述子、及び、中央セグメントs7のTSに関する情報（以下、TS情報という）により構成される。
【００９３】
なお、マルチセグメント情報記述子は、中央セグメントs7を含む物理チャンネルのセグメントで、任意ワンセグ放送が行われていることを示す記述子である。
【００９４】
また、中央セグメントs7のTS情報は、中央セグメントs7のTSのTSID、中央セグメントs7の周波数、中央セグメントs7の放送サービスのサービスID等を含む。
【００９５】
NIT-1は、ネットワークIDと、中央セグメントs7以外のセグメントs1ないしs6，s8ないしs13のTS情報とにより構成される。なお、NIT-0のネットワークIDとNIT-1のネットワークIDは異なっている。図８の例では、NIT-0のネットワークIDは0であり、NIT-1のネットワークIDは1である。
【００９６】
図９は、各セグメントで送信されるNIT及びSDTを説明する図である。
【００９７】
NIT-0は、図９に示すように、中央セグメントs7において、自セグメントのNITを記述するNIT actualとして送信される。
【００９８】
NIT-1は、中央セグメントs7において、その中央セグメントs7の物理チャンネルの、自セグメントである中央セグメントs7以外のセグメント(以下、中央外セグメントという)のNITを記述するNIT otherとして送信される。
【００９９】
また、中央セグメントs7では、自セグメントのSDTを記述するSDT actualとして、中央セグメントs7のSDTが送信される。さらに、中央セグメントs7では、中央外セグメントのSDTを記述するSDT otherとして、中央外セグメントs1ないしs6，s8ないしs13のSDTが送信される。
【０１００】
中央外セグメントs1ないしs6，s8ないしs13では、NIT actualとしてNIT-1がそれぞれ送信され、NIT otherとしては何も送信されない。また、中央外セグメントs1ないしs6，s8ないしs13では、SDT actualとして、自セグメントs1ないしs6，s8ないしs13のSDTがそれぞれ送信され、SDT otherとしては何も送信されない。
【０１０１】
以上のように、NIT及びSDTが送信されてくる場合、受信端末３３は、地上ディジタル放送の各物理チャンネルの中央セグメントを、周波数の低い方から順に選局する。
【０１０２】
そして、受信端末３３は、中央セグメントにおいて、TSを受信することができた場合には、そのTSのNIT actual，SDT actualから、中央セグメントで放送されるエリア限定放送のNIT及びSDTを取得する。
【０１０３】
受信端末３３は、中央セグメントのTSのNIT actualから取得したNITにおけるマルチセグメント情報記述子の有無によって、任意ワンセグ放送であるエリア限定放送が行われているか、通常ワンセグ放送が行われているかを認識する。
【０１０４】
エリア限定放送が行われていることが認識された場合、受信端末３３は、中央セグメントにおいて受信したTSのNIT other，SDT otherから、中央外セグメントで放送されるエリア限定放送のNIT，SDTを取得する。
【０１０５】
受信端末３３は、以上のようにして取得したNIT,SDTから、エリア限定放送の選局情報を含む選局テーブルを作成する。
【０１０６】
図８及び図９で説明したように、中央セグメントのTSに、NIT actual，SDT actualだけでなく、NIT other，SDT otherを配置するので、受信端末３３は、各物理チャンネルの中央セグメントを順に選局するだけで、その中央セグメントを有する物理チャンネルの全てのエリア限定放送のNITとSDTを取得することができる。
【０１０７】
したがって、受信端末３３では、エリア限定放送の選局情報を、迅速に取得することができる。
【０１０８】
なお、中央セグメントでは、NIT other，SDT otherを、必ずしも送信する必要はない。
【０１０９】
但し、中央セグメントにおいて、NIT other，SDT otherを送信しない場合には、受信端末３３は、中央セグメントのNIT actualのマルチセグメント情報記述子の有無によって、エリア限定放送が行われているかどうかを認識し、エリア限定放送が行われているときには、中央外セグメントを順次選局し、TSを受信することができた中央外セグメントのNIT actual，SDT actualを取得する必要がある。
【０１１０】
ここで、NIT actualには、そのNIT actualが伝送されるネットワークに関する情報が含まれ、NIT otherには、そのNIT otherが伝送されるネットワークとは別のネットワークに関する情報が含まれる。また、SDT actualには、そのSDT actualが伝送されるネットワークのサービスに関する情報が含まれ、SDT otherには、そのSDT otherが伝送されるネットワークとは別のネットワークのサービスに関する情報が含まれる。
【０１１１】
図１０は、図４の受信端末３３と、通常ワンセグ放送を受信する従来の受信端末である通常ワンセグ端末１００それぞれのチャンネルスキャンを示す図である。
【０１１２】
受信端末３３、及び、従来の通常ワンセグ端末１００は、例えば、各物理チャンネルの中央セグメントを、周波数の低い方から順に選局し、選局情報を取得して、選局テーブルを作成する。
【０１１３】
通常ワンセグ端末１００は、エリア限定放送（任意ワンセグ放送）に対応していないため、エリア限定放送が割り当てられた物理チャンネルの中央セグメントのTSに配置されるNIT actualのマルチセグメント情報記述子は無視する。したがって、通常ワンセグ端末１００は、誤動作を起こさないが、NIT other，SDT otherを取得することはできない。
【０１１４】
その結果、通常ワンセグ端末１００では、図１０に示すように、各物理チャンネルの中央セグメントの通常ワンセグ放送とエリア限定放送のNIT及びSDTから、選局情報が取得される。
【０１１５】
これに対して、受信端末３３は、エリア限定放送に対応しており、エリア限定放送が割り当てられた物理チャンネルの中央セグメントのTSに配置されるNIT actualのマルチセグメント情報記述子を認識し、NIT actual，SDT actualの他、NIT other，SDT otherを取得する。
【０１１６】
その結果、受信端末３３では、各物理チャンネルに割り当てられている全てのワンセグ放送及びエリア限定放送のNIT及びSDTから、選局情報を取得することができる。
【０１１７】
図１１は、図１０の例において受信端末３３により作成される選局テーブルと、通常ワンセグ端末により作成される選局テーブルの例を示す図である。
【０１１８】
図１１Ａは、受信端末３３により作成される選局テーブルを示している。
【０１１９】
受信端末３３により作成される選局テーブルには、まず、図１０の第１の物理チャンネルの中央セグメントに割り当てられた通常ワンセグ放送のサービス名「ワンセグサービス１」、サービスID「ID１」、及び周波数「F1」が登録される。
【０１２０】
次に、第２の物理チャンネルに割り当てられた５セグメント分のエリア限定放送のサービス名「コミュニティサービス１」ないし「コミュニティサービス５」、サービスID「ID２」ないし「ID６」、及び周波数「F2」ないし「F6」がそれぞれ登録される。
【０１２１】
そして、第３の物理チャンネルの中央セグメントに割り当てられた通常ワンセグ放送のサービス名「ワンセグサービス２」、サービスID「ID７」、及び周波数「Ｆ７」が登録される。
【０１２２】
その後も同様に、第４の物理チャンネルの中央セグメントに割り当てられた通常ワンセグ放送と、第５の物理チャンネルに割り当てられた７セグメント分のエリア限定放送のサービス名、サービスID、及び周波数が登録される。
【０１２３】
図１１Ｂは、通常ワンセグ端末１００により作成される選局テーブルを示している。
【０１２４】
通常ワンセグ端末１００により作成される選局テーブルには、まず、受信端末３３により作成される選局テーブルと同様に、第１の物理チャンネルの中央セグメントに割り当てられた通常ワンセグ放送のサービス名「ワンセグサービス１」、サービスID「ID１」、及び周波数「F1」が登録される。
【０１２５】
次に、第２の物理チャンネルの中央セグメントに割り当てられたエリア限定放送のサービス名「コミュニティサービス１」、サービスID「ID２」、及び周波数「F2」が登録される。
【０１２６】
そして、受信端末３３により作成される選局テーブルと同様に、第３の物理チャンネルの中央セグメントに割り当てられた通常ワンセグ放送のサービス名「ワンセグサービス２」、サービスID「ID７」、及び周波数「Ｆ７」が登録される。
【０１２７】
その後も同様に、第４の物理チャンネルの中央セグメントに割り当てられた通常ワンセグ放送と、第５の物理チャンネルの中央セグメントに割り当てられたエリア限定放送のサービス名、サービスID、及び周波数が登録される。
【０１２８】
以上のように、従来の通常ワンセグ端末１００では、中央外セグメントのエリア限定放送の選局情報は取得することができず、選局テーブルに登録されないが、中央セグメントの選局情報は取得することができ、選局テーブルに登録される。
【０１２９】
したがって、図８及び図９で説明したように、NIT及びSDTを送信しても、従来の通常ワンセグ端末１００による通常ワンセグ放送の受信を妨害しない。
【０１３０】
［放送エリアとユーザの動線］
【０１３１】
図１２は、地上ディジタル放送（通常ワンセグ放送）の放送エリアと、通常ワンセグ放送のみを受信する従来の通常ワンセグ端末１００を所持するユーザの移動の軌跡である動線とを示す図である。
【０１３２】
通常ワンセグ放送の放送エリアは、広いため、日常生活において、従来の通常ワンセグ端末１００を所持するユーザは、特定の地上波放送局H1の放送エリア内を生活圏として移動することが多く、その放送エリアから、他の地上波放送局H2の放送エリアに移動することは、ほとんどない。
【０１３３】
したがって、図１２に示すように、ほとんどの動線が、地上波放送局H1の放送エリアに存在し、残りの僅かな動線が、地上波放送局H2の放送エリアに存在するユーザが所持する通常ワンセグ端末１００では、地上波放送局H1による通常ワンセグ放送の選局情報を、選局テーブルに登録しておくことにより、ほとんどの場合に受信可能な地上波放送局H1による通常ワンセグ放送（のサービス名）を、ユーザが選局可能な通常ワンセグ放送（のサービス名）として、ユーザに提示することができる。
【０１３４】
なお、通常ワンセグ端末１００では、地上波放送局H1による通常ワンセグ放送の選局情報の他、地上波放送局H2よる通常ワンセグ放送の選局情報も、選局テーブルに登録しておくことにより、地上波放送局H1及びH2それぞれによる通常ワンセグ放送を、ユーザが選局可能な通常ワンセグ放送として、ユーザに提示することができる。
【０１３５】
但し、この場合、通常ワンセグ端末１００を所持するユーザが、地上波放送局H1の放送エリアにいる場合には、地上波放送局H2の通常ワンセグ放送を選局しても、通常ワンセグ端末１００では、地上波放送局H2の通常ワンセグ放送を受信することはできない。
【０１３６】
同様に、通常ワンセグ端末１００を所持するユーザが、地上波放送局H2の放送エリアにいる場合には、地上波放送局H1の通常ワンセグ放送を選局しても、通常ワンセグ端末１００では、地上波放送局H1の通常ワンセグ放送を受信することはできない。
【０１３７】
通常ワンセグ端末１００において、受信可能な通常ワンセグ放送だけを、ユーザに提示するには、地上波放送局H1による通常ワンセグ放送の選局情報と、地上波放送局H2による通常ワンセグ放送の選局情報とを、選局テーブルを分けて登録しておき、ユーザが、必要に応じて、選局に用いる選局テーブルを切り替える（操作を行う）必要がある。
【０１３８】
上述したように、通常ワンセグ放送については、放送エリアが広いので、日常生活において、ユーザが、生活圏を包含する放送エリアから、他の放送エリアに移動する頻度は、極めて少ない。
【０１３９】
したがって、選局に用いる選局テーブルを切り替えなければならないケースは、稀であり、また、選局情報を分けて登録しなければならない選局テーブルの数は、少なく、選局テーブルの切り替えも、容易である。
【０１４０】
図１３は、エリア限定放送の放送エリアと、エリア限定放送を受信することができる受信端末３３を所持するユーザの移動の軌跡である動線とを示す図である。
【０１４１】
エリア限定放送の放送エリアは、狭いため、多くのステーションが、それほど広くない範囲に密集して設けられ、その結果、受信端末３３を所持するユーザが、多くのステーションの放送エリアを、頻繁に移動することが予想される。
【０１４２】
したがって、受信端末３３において受信可能なエリア限定放送（論理チャンネル）が、ユーザが生活圏内を移動している最中に、頻繁に変化することが予想される。
【０１４３】
受信端末３３において、図１２で説明した通常ワンセグ端末１００と同様に、受信可能なエリア限定放送だけを、ユーザに提示するために、多くのエリア限定放送の選局情報を、多くの選局テーブルを分けて登録しておき、ユーザが、必要に応じて、選局に用いる選局テーブルを切り替えることとすると、ユーザは、多くの選局テーブルを対象として、選局に用いる選局テーブルを切り替える必要があり、その切り替えの頻度も、多くなることが予想される。
【０１４４】
したがって、受信端末３３において、多くのエリア限定放送の選局情報を、多くの選局テーブルを分けて登録しておき、ユーザに、選局に用いる選局テーブルを切り替えてもらうのは、現実的ではない。
【０１４５】
また、例えば、イベント会場等で行われるエリア限定放送については、放送を行っている期間や、放送時間帯が限定されることが予想され、したがって、あるステーションの放送エリア内であっても、エリア限定放送を受信することができるときと、できないときとがあり得る。
【０１４６】
したがって、受信端末３３において、エリア限定放送の選局情報を、有限恒久的な情報として、あらかじめ埋め込んでおいても、放送を行っている期間が経過したエリア限定放送の選局情報は無駄になり、また、将来開始されるエリア限定放送に対応することは、困難である。
【０１４７】
一方、受信端末３３において、図１０で説明したチャンネルスキャンを行って、そのときに受信可能なエリア限定放送の選局情報を取得しても、その後、ユーザが移動した場合や、時間が経過した場合に、過去のチャンネルスキャンで取得した選局情報に対応するエリア限定放送を受信することができるとは限らない。
【０１４８】
したがって、例えば、ユーザがいる位置で、そのときに受信可能なエリア限定放送を、ユーザが選局可能なエリア限定放送として、ユーザに提示するには、常時（短い周期で）、チャンネルスキャンを行って、受信可能なエリア限定放送の選局情報を取得する必要がある。
【０１４９】
しかしながら、図１０で説明したチャンネルスキャンは、地上ディジタル放送の各物理チャンネルの各セグメントを選局するチャンネルスキャンに比較して、選局情報を、迅速に取得することはできるが、それでも、ある程度の時間を要する。
【０１５０】
したがって、チャンネルスキャンを常時行うことは、現実的でない。
【０１５１】
そこで、受信可能なエリア限定放送を、ユーザに迅速に提示するために、ステーションからの放送波を受信することが可能な放送エリアの情報である放送エリア情報を少なくとも含む、ステーションに関するステーション情報を、受信端末３３に提供し、受信端末３３では、そのステーション情報を用いて、受信可能なエリア限定放送のステーションを、選局が可能な選局可能ステーションとして選択する。
【０１５２】
［ステーション情報の説明］
【０１５３】
図１４は、ステーション情報を説明する図である。
【０１５４】
ステーション情報は、ステーションID、エリア限定放送事業者ID、送信出力、ステーション名、地域ID、地域名称、送信局経度、送信局緯度、送信有効開始日時、送信有効終了日時、及び、エントリ周波数等を含む。
【０１５５】
ステーションIDは、ステーションを識別するユニークなIDである。
【０１５６】
なお、ステーションを識別するIDとしては、ネットワークIDを採用する方法が考えられる。
【０１５７】
しかしながら、ネットワークIDは、16ビットであり、エリア限定放送を行うステーションが多数設けられることを考えると、16ビットのネットワークIDは、ステーションに、ユニークに割り当てることが困難になることが予想される。
【０１５８】
そこで、ステーションをユニークに識別するために、ステーションIDを採用する。なお、ステーションIDは、多数のステーションをユニークに識別することができるだけの多ビットとすることが望ましい。
【０１５９】
エリア限定放送事業者IDは、エリア限定放送を行う事業者（エリア限定放送事業者）を識別するユニークなIDである。エリア限定放送事業者は、１以上のステーションからエリア限定放送を行うことができ、したがって、ステーションIDが異なるステーション情報であっても、エリア限定放送事業者IDが同一であることがある。
【０１６０】
なお、図１４には、図示していないが、ステーション情報には、エリア限定放送事業者IDで識別されるエリア限定放送事業者の名称を含めることができる。
【０１６１】
送信出力は、ステーションIDで識別されるステーションからの放送波の送信出力（パワー）である。
【０１６２】
ステーション名は、ステーションIDで識別されるステーションの名称である。
【０１６３】
地域IDは、ステーションIDで識別されるステーションの所在地を識別するIDであり、例えば、ステーションIDで識別されるステーションの所在地の郵便番号や、市外局番等を採用することができる。
【０１６４】
地域名称は、ステーションIDで識別されるステーションの所在地、又は、放送エリアの地域の名称（エリア特定名称）である。
【０１６５】
送信局経度、及び、送信局緯度は、ステーションIDで識別されるステーションの位置(所在地)を表す位置情報であり、それぞれ、ステーションIDで識別されるステーションの所在地の経度、及び、緯度である。
【０１６６】
送信有効開始日時、及び、送信有効終了日時は、それぞれ、ステーションIDで識別されるステーションがエリア限定放送を行っている期間であるエリア限定放送有効期間の開始の日時、及び、終了の日時である。
【０１６７】
なお、図１４には、図示していないが、ステーションIDで識別されるステーションにおいて、一日に、エリア限定放送を行う時間帯が定められている場合には、その時間帯の開始の時刻と、終了の時刻を、ステーション情報に含めることができる。
【０１６８】
エントリ周波数は、ステーションIDで識別されるステーションが行うエリア限定放送の選局のための周波数（エリア限定放送が行われるセグメント（代表セグメント）の周波数）である。
【０１６９】
なお、ステーション情報を、エリア限定放送に用いるセグメントで送信することにより、受信端末３３に提供する場合、エントリ周波数は、セグメントで送信されるNITに含まれるため、ステーション情報には、必ずしも含める必要はない。
【０１７０】
また、図１４のステーション情報において、ステーションIDで識別されるステーションの地域名称が、放送エリア情報として機能する。
【０１７１】
さらに、図１４のステーション情報では、ステーションIDで識別されるステーションの位置情報である送信局経度、及び、送信局緯度、並びに、送信出力を用いて、ステーションIDで識別されるステーションからの放送波を受信することが可能な放送エリアを認識することができるので、送信局経度、及び、送信局緯度、並びに、送信出力も、放送エリア情報として機能する。
【０１７２】
図１５は、ステーション情報のシンタクス（syntax)の例を示す図である。
【０１７３】
図１５のステーション情報Station_information()において、24ビットのstation_idは、ステーションIDであり、16ビットのarea_broadcaster_idは、エリア限定放送事業者IDである。
【０１７４】
８ビットのstation_name_lengthは、ステーション名の文字数（バイト数）を表し、8ビットのstation_name_byteの、N(=station_name_length)個の系列は、ステーション名を表す。
【０１７５】
8ビットのemission_powerは、送信出力であり、16ビットのstation_経度、及び、station_緯度は、それぞれ、送信局経度、及び、送信局緯度である。
【０１７６】
1ビットのarea_id_flag，area_name_flag，operation_start_time_flag，operation_end_time_flag，entry_seg_frequency_flagは、それぞれ、ステーション情報に、地域ID、地域名称、送信有効開始日時、送信有効終了日時、及び、エントリ周波数が含まれるかどうかを表す。
【０１７７】
entry_seg_frequency_flagに続く3ビットは、将来のために予約(reserved)されている。
【０１７８】
16ビットのarea_idは、地域IDであり、area_id_flagが1である場合に、ステーション情報Station_information()に含まれる。
【０１７９】
8ビットのarea_name_lengthは、地域名称の文字数を表し、8ビットのarea_name_byteの、N(=area_name_length)の系列は、地域名称を表す。area_name_length、及び、area_name_byteは、area_name_flagが1である場合に、ステーション情報Station_information()に含まれる。
【０１８０】
24ビットのoperation_start_time、及び、operation_end_timeは、それぞれ、送信有効開始日時、及び、送信有効終了日時である。operation_start_timeは、operation_start_time_flagが1である場合に、operation_end_timeは、operation_end_time_flagが1である場合に、それぞれ、ステーション情報Station_information()に含まれる。
【０１８１】
16ビットのentry_seg_frequencyは、エントリ周波数であり、entry_seg_frequency_flagが1である場合に、ステーション情報Station_information()に含まれる。
【０１８２】
図１６は、受信端末３３が、ステーション情報を取得する取得方法を説明する図である。
【０１８３】
１以上の任意の数のステーションのステーション情報STiは、ステーション３２から、セグメントで送信し、受信端末３３で受信することにより、受信端末３３において取得することができる。
【０１８４】
また、ステーション情報STiは、非接触ICカード(例えば、Felica（登録商標）)等の非接触メディアに記憶しておき、その非接触メディアと受信端末３３との間で、ステーション情報STiをやりとりする近接通信を行うことにより、受信端末３３において取得することができる。
【０１８５】
さらに、ステーション情報STiは、インターネット(Internet)上のサーバ(server)にファイルとして記憶しておき、そのサーバと受信端末３３との間で、ステーション情報STiをやりとりする無線通信を、ワイヤレスLAN等によって行うことにより、受信端末３３において取得することができる。
【０１８６】
また、ステーション情報STiは、インターネット上のサーバから、PC(Personal Computer)にダウンロードし、そのPCと受信端末３３との間で、ステーション情報STiをやりとりする、USB(Universal Serial Bus)等による通信を行うことにより、受信端末３３において取得することができる。
【０１８７】
なお、ステーション情報を、ステーション３２から、セグメントで送信する場合、ステーション情報は、NITに含めることができる。
【０１８８】
また、ステーション３２は、そのステーション３２のステーション情報を、NIT actualに、記述子として含め、ステーション３２によるエリア限定放送に用いられる１以上のセグメントのうちの１つのセグメントである代表セグメントで送信することができる。
【０１８９】
ここで、ステーション３２の代表セグメントとしては、ステーション３２によるエリア限定放送に用いられる１以上のセグメントのうちの任意の１つのセグメントを採用することができる。但し、ステーション３２によるエリア限定放送に用いられる１以上のセグメントが、中央セグメントを含む場合には、例えば、その中央セグメントを、代表セグメントとすることができる。
【０１９０】
また、ステーション３２では、ステーション３２以外の他のステーションのステーション情報を、NIT otherに、記述子として含め、ステーション３２の代表セグメントで送信することができる。
【０１９１】
なお、ステーション３２が送信するNIT otherにステーション情報を含める他のステーションとしては、ステーション３２がエリア限定放送に用いているセグメントを有する物理チャンネルの他のセグメントを用いてエリア限定放送を行っているステーション等の任意のステーションを採用することができる。
【０１９２】
また、他のステーションのステーション情報を含むNIT otherの送信は、中央セグメントを代表セグメントとするステーションでのみ行うことができる。
【０１９３】
図１７は、ステーション情報を含むNITのシンタクス（データ構造）の例を示す図である。
【０１９４】
NITには、先頭から順に、8ビットのテーブルID(table_id)、1ビットのセクションシンタックスインジケータ（section_syntax_indicator）、1ビットの未来使用領域(reserved_future_use)が配置される。
【０１９５】
NITが、NIT actualとしてのNITである場合、テーブルIDは0x40となり、NITがNIT otherとしてのNITである場合、テーブルIDは、0x41となる。
【０１９６】
未来使用領域の後には、2ビットの空き領域(reserved)、12ビットのセクション長（section_length）、16ビットのネットワークID(network_ID)、2ビットの空き領域(reserved)、5ビットのバージョン番号（version_number）が順に配置される。
【０１９７】
その後、１ビットのカレントネクストインジケータ（current_next_indicator）、 8ビットのセクション番号（section_number）、8ビットの最終セクション番号（last_section_number）、4ビットの未来使用領域が順に配置される。
【０１９８】
次に、12ビットのネットワークディスクリプタ長（network_descriptor_length）、ファーストループ(first loop)であるネットワークループ(network loop)が、順に配置される。
【０１９９】
ネットワークループには、ネットワークディスクリプタ長分の１個以上のディスクリプタ(descriptor())を配置することができる。
【０２００】
ネットワークループのディスクリプタとしては、ネットワーク名ディスクリプタ（network_name_descriptor）、システムマネジメントディスクリプタ（system_management_descriptor）等が、前段に記述されているネットワークIDごとに配置される。
【０２０１】
ネットワーク名ディスクリプタには、ネットワーク名が記述され、システムマネジメントディスクリプタには、ネットワークが放送ネットワークであるか通信ネットワークであるかを示す情報が記述される。
【０２０２】
ここで、NITに、ステーション情報Station_information()が含められる場合、ネットワークループのディスクリプタには、さらに、ステーション情報記述子Station_information_descriptor()が含められる。
【０２０３】
ステーション情報記述子Station_information_descriptor()には、ステーション情報が含まれることを表す8ビットのdescriptor_tagと、ステーション情報記述子Station_information_descriptor()のサイズを表す8ビットのdescriptor_lengthとが順次配置される。
【０２０４】
そして、その後に続けて、ステーション情報Station_information()（図１５）が配置される。
【０２０５】
また、NITに、マルチセグメント情報記述子が記述される場合、マルチセグメント情報記述子も、NIT actualとしてのNITのネットワークループのディスクリプタとして記述される。
【０２０６】
ネットワークループの後には、4ビットの未来使用領域、12ビットのTSループ長（transport_stream_loop_length）、セカンドループ(second loop)であるTSループ、32ビットのCRC（Cyclic Redundancy Check）32値（CRC_32）が順に配置される。
【０２０７】
TSループには、TSループ長分の１個以上のディスクリプタ(descriptor())を配置することができる。
【０２０８】
TSループのディスクリプタとしては、TSごとに、サービスリストディスクリプタ（service_list_descriptor）、地上波システムディスクリプタ（terrestrial_delivery_system_descriptor）等が記述される。サービスリストディスクリプタには、サービスID、及び、放送サービスのタイプ（テレビジョン放送、ラジオ放送など）を示すサービスタイプが記述され、地上波システムディスクリプタには、周波数（エントリ周波数）等の選局に必要な情報が記述される。
【０２０９】
図１８は、ステーション３２によるステーション情報STiの送信の方法を説明する図である。
【０２１０】
図１８において、ステーション３２−１は、中心局になっており、ステーション３２−２及び３２−３は、ステーション３２−１の傘下のローカル局になっている。
【０２１１】
そして、中心局であるステーション３２−１の放送エリアＡは、ローカル局であるステーション３２−２の放送エリアＢ、及び、同じくローカル局であるステーション３２−３の放送エリアＣを含んでいる。
【０２１２】
さらに、中心局であるステーション３２−１には、所定の物理チャンネルの中央セグメントを含む５個のセグメントが割り当てられている。
【０２１３】
また、ローカル局であるステーション３２−２には、所定の物理チャンネルの、１個の中央外セグメント（ステーション３２−１に割り当てられていない中央外セグメント）が割り当てられ、ローカル局であるステーション３２−３には、所定の物理チャンネルの、２個の中央外セグメント（ステーション３２−１及び３２−２のいずれにも割り当てられていない中央外セグメント）が割り当てられている。
【０２１４】
ステーション３２−１は、そのステーション３２−１に割り当てられている５個のセグメントのうちの、中央セグメントを代表セグメントとして、その代表セグメントである中央セグメントで、少なくとも、ステーション３２−１自身のステーション情報STiをNITに含めて送信する。
【０２１５】
ステーション３２−２は、そのステーション３２−２に割り当てられている１個のセグメントを代表セグメントとして、その代表セグメントで、少なくとも、ステーション３２−２自身のステーション情報STiをNITに含めて送信する。
【０２１６】
ステーション３２−３も、ステーション３２−３と同様に、そのステーション３２−３に割り当てられている２個のセグメントのうちの、任意の１個のセグメントを代表セグメントとして、その代表セグメントで、少なくとも、ステーション３２−３自身のステーション情報STiをNITに含めて送信する。
【０２１７】
なお、ステーション３２では、上述したように、他のステーションのステーション情報も送信することが可能である。
【０２１８】
[ステーション３２の構成例]
【０２１９】
図１９は、図４のステーション３２の詳細構成例を示すブロック図である。
【０２２０】
図１９において、ステーション３２は、関連情報取得部５１、ビデオデータ取得部５２、ビデオエンコーダ５３、オーディオデータ取得部５４、オーディオエンコーダ５５、マルチプレクサ５６、送信部５７、及びアンテナ５８により構成される。
【０２２１】
関連情報取得部５１は、PMT及びPATや、エリア限定放送のNIT，SDT等を含む、サービスを受信するための情報、周波数情報、サービスに対応するパケットを特定する情報等の制御情報であるPSI(Program Specific Information)、エリア限定放送においてブラウザを用いた表示を行うための情報（以下、表示制御情報という）等の関連情報を生成することにより取得し、マルチプレクサ５６に供給する。
【０２２２】
なお、関連情報取得部５１は、NITを生成するに際し、そのNITに含めるステーション情報を取得する。
【０２２３】
すなわち、ステーション３２のステーション情報が、例えば、図示せぬメモリに記憶されている場合には、関連情報取得部５１は、そのメモリからステーション情報を読み出すことにより、ステーション３２のステーション情報を取得する。
【０２２４】
また、NITに、他のステーションのステーション情報を含める場合には、関連情報取得部５１は、例えば、他のステーションから、ネットワークを介して、他のステーションのステーション情報をダウンロードすることにより取得する。
【０２２５】
ビデオデータ取得部５２は、図示せぬ内蔵するHDD（Hard Disk Drive）や、外部のサーバ、カメラ等から、エリア限定放送のビデオデータを取得し、ビデオエンコーダ５３に供給する。
【０２２６】
ビデオエンコーダ５３は、ビデオデータ取得部５２から供給されるビデオデータを、MPEG（Moving Picture Experts Group）等の符号化方式に準拠して符号化し、マルチプレクサ５６に供給する。
【０２２７】
オーディオデータ取得部５４は、図示せぬ内蔵するHDDや、外部のサーバ、マイク(マイクロフォン）等から、エリア限定放送のオーディオデータを取得し、オーディオエンコーダ５５に供給する。
【０２２８】
オーディオエンコーダ５５は、オーディオデータ取得部５４から供給されるオーディオデータを、MPEG等の符号化方式に準拠して符号化し、マルチプレクサ５６に供給する。
【０２２９】
マルチプレクサ５６は、関連情報取得部５１からの関連情報、ビデオエンコーダ５３からのビデオデータ、及びオーディオエンコーダ５５からのオーディオデータを多重化してTSを生成し、送信部５７に供給する。
【０２３０】
送信部５７は、マルチプレクサ５６から供給されるTSを、所定のセグメントでアンテナ５８を介して送信する。
【０２３１】
なお、送信部５７において、マルチプレクサ５６から供給されるTSのうちの、ステーション３２のステーション情報を含むNITが、関連情報として多重化されたTSは、ステーション３２の代表セグメントで送信される。
【０２３２】
［ステーション３２の処理の説明］
【０２３３】
図２０は、図１９のステーション３２の処理（送信処理）を説明するフローチャートである。
【０２３４】
ステップＳ３１において、関連情報取得部５１は、ステーション３２が送信すべきステーション情報、すなわち、ステーション３２のステーション情報や、他のステーションのステーション情報を取得し、そのステーション情報を含むEIT等の、エリア限定放送のPSIや、表示制御情報等の関連情報を生成することで取得して、マルチプレクサ５６に供給する。
【０２３５】
ステップＳ３２において、ビデオデータ取得部５２は、エリア限定放送のビデオデータを取得し、ビデオエンコーダ５３に供給する。
【０２３６】
ステップＳ３３において、ビデオエンコーダ５３は、ビデオデータ取得部５２から供給されるビデオデータを符号化し、マルチプレクサ５６に供給する。
【０２３７】
ステップＳ３４において、オーディオデータ取得部５４は、エリア限定放送のオーディオデータを取得し、オーディオエンコーダ５５に供給する。
【０２３８】
ステップＳ３５において、オーディオエンコーダ５５は、オーディオデータ取得部５４から供給されるオーディオデータを符号化し、マルチプレクサ５６に供給する。
【０２３９】
ステップＳ３６において、マルチプレクサ５６は、関連情報取得部５１からの関連情報、ビデオエンコーダ５３からのビデオデータ、及びオーディオエンコーダ５５からのオーディオデータを多重化してTSを生成する。
【０２４０】
ここで、送信部５７が、中央セグメントで、TSを送信する場合には、マルチプレクサ５６は、NIT actualとしてNIT-0（図８）含み、NIT otherとしてNIT-1を含み、SDT actualとして自セグメントのSDTを含み、SDT otherとして中央外セグメントのSDTを含むTSを、中央セグメントのTSとして生成する。
【０２４１】
また、送信部５７が、中央外セグメントで、TSを送信する場合には、マルチプレクサ５６は、NIT actualとしてNIT-1を含み、SDT actualとして自セグメントのSDTを含むTSを、中央外セグメントのTSとして生成する。
【０２４２】
なお、ここでは、中央セグメントは、代表セグメントでもあるので、中央セグメントのTSには、ステーション３２のステーション情報が記述されたNIT actual(NIT-0)が含まれる。
【０２４３】
また、中央セグメントのTSには、ステーション３２以外のステーション情報が記述されたNIT other(NIT-1)を含めることができる。
【０２４４】
さらに、中央外セグメントが、代表セグメントである場合には、代表セグメントである中央外セグメントのTSには、ステーション３２のステーション情報が記述されたNIT actual(NIT-1)が含まれる。
【０２４５】
ステップＳ３７において、送信部５７は、マルチプレクサ５６から供給されるTSを、そのTSを送信すべき所定のセグメントでアンテナ５８を介して送信し、処理を終了する。
【０２４６】
以上のように、ステーション３２において、そのステーション３２や他のステーションのステーション情報を取得し、ステーション３２による任意ワンセグ放送（エリア限定放送）に用いられる１以上のセグメントのうちの１つのセグメントである代表セグメントで送信することにより、そのステーション情報を取得した受信装置３３では、ステーション情報を用いて、受信可能なエリア限定放送を、迅速に提示することが可能となる。
【０２４７】
[受信端末３３の詳細構成例]
【０２４８】
図２１は、図４の受信端末３３の詳細構成例を示すブロック図である。
【０２４９】
図２１において、受信端末３３は、アンテナ７１、チューナ７２、デマルチプレクサ７３、ビデオデコーダ７４、選択部７５、表示部７６、オーディオデコーダ７７、スピーカ７８、ブラウザ７９、制御部８０、及び、操作部８１により構成される。
【０２５０】
アンテナ７１は、地上波放送局３１やステーション３２からのUHF帯の放送波を受信し、その放送波の受信によって得られるIF(Intermediate Frequency)信号を、チューナ７２に供給する。
【０２５１】
チューナ７２は、制御部８０の制御に従い、アンテナ７１からのIF信号から、所定の論理チャンネル（セグメント）の通常ワンセグ放送やエリア限定放送（の信号）を選局(復調)し、その結果得られるTSを、デマルチプレクサ７３に供給する。
【０２５２】
デマルチプレクサ７３は、チューナ７２から供給されるTSを、ビデオデータ、オーディオデータ、表示制御情報、PSIの各情報等に分離する。デマルチプレクサ７３は、ビデオデータをビデオデコーダ７４に供給し、オーディオデータをオーディオデコーダ７７に供給する。また、デマルチプレクサ７３は、表示制御情報をブラウザ７９に供給し、PSIの各情報等を制御部８０に供給する。
【０２５３】
ビデオデコーダ７４は、制御部８０の制御に従い、デマルチプレクサ７３から供給されるビデオデータを、ビデオエンコーダ５３（図１９）に対応する方式でデコードし、選択部７５に供給する。
【０２５４】
選択部７５は、制御部８０の制御に従い、ビデオデコーダ７４から供給されるビデオデータ又はブラウザ７９から供給されるビデオデータを選択し、表示部７６に供給する。
【０２５５】
また、選択部７５は、制御部８０の制御に従い、OSD(On Screen Display)等の画像のビデオデータを、表示部７６に供給する。
【０２５６】
表示部７６は、選択部７５から供給されるビデオデータに基づいて、通常ワンセグ放送又はエリア限定放送の画像等を表示する。
【０２５７】
オーディオデコーダ７７は、制御部８０の制御に従い、デマルチプレクサ７３から供給されるオーディオデータを、オーディオエンコーダ５５（図１９）に対応する方式でデコードし、スピーカ７８に供給する。
【０２５８】
スピーカ７８は、オーディオデコーダ７７からのオーディオデータに対応する音声、すなわち、通常ワンセグ放送又はエリア限定放送の音声を出力する。
【０２５９】
なお、スピーカ７８は、その他、制御部８０の制御に従って、所定のサウンド（例えば、ビープ音等）を出力することができる。
【０２６０】
ブラウザ７９は、デマルチプレクサ７３から供給される表示制御情報を解釈して、ビデオデータを生成し、選択部７５に供給する。
【０２６１】
制御部８０は、操作部８１からの操作信号等に応じて、各種の処理を行うとともに、受信端末３３を構成する各ブロックを制御する。
【０２６２】
すなわち、制御部８０は、地上ディジタル放送の各物理チャンネルの中央セグメントの周波数を、チャンネルスキャン用のプリセット周波数として記憶しており、チャンネルスキャン時に、そのプリセット周波数（のセグメントを）を順番に選局するように、チューナ７２を制御する選局制御を行う。
【０２６３】
また、制御部８０は、デマルチプレクサ７３から供給されるPSIに含まれる各物理チャンネルの中央セグメントのNIT actual及びSDT actualや、NIT actual、NIT other、SDT actual、及びSDT otherに基づいて、選局テーブルを生成し、内蔵するメモリ(図示せず)に記憶する。
【０２６４】
さらに、制御部８０は、操作部８１からの操作信号等に応じて、選局テーブルに登録されているサービス名を、選択部７５を介して、表示部７６に供給して表示させる。
【０２６５】
ここで、ユーザは、表示部７６に表示されたサービス名を見て、視聴対象とするサービス（論理チャンネル）のサービス名を選択するように、操作部８１を操作することができる。
【０２６６】
制御部８０は、この操作部８１の操作に従って、選局テーブルから、視聴対象のサービス名のサービスの選局情報としての周波数を認識し、その周波数（のセグメント）を選局するように、チューナ７２を制御する選局制御を行う。
【０２６７】
また、制御部８０は、デマルチプレクサ７３から供給されるPSIの各情報に基づいて、ビデオデコーダ７４、選択部７５、オーディオデコーダ７７、及びブラウザ７９を制御する。具体的には、制御部８０は、例えば、ビデオデコーダ７４から出力されるビデオデータとオーディオデコーダ７７から出力されるオーディオデータの同期をとるように、ビデオデコーダ７４とオーディオデコーダ７７を制御する。
【０２６８】
さらに、制御部８０は、PSIのNITにステーション情報が含まれている場合には、そのステーション情報を取得し、必要に応じて記憶する。
【０２６９】
そして、制御部８０は、ステーション情報を用いて、選局制御を行う。
【０２７０】
すなわち、制御部８０は、ステーション情報を用いて、現在、受信可能なエリア限定放送のステーションを、選局が可能な選局可能ステーションとして選択し、その選局可能ステーションのステーション名（図１４）や、選局可能ステーションが行っているエリア限定放送のサービスのサービス名を、選択部７５を介して、表示部７６に表示させる。
【０２７１】
また、制御部８０は、選局可能ステーションのエリア限定放送（のサービス）の周波数を、ステーション情報、又は、選局テーブルから認識し、その周波数を選局するように、チューナ７２を制御する選局制御を行う。
【０２７２】
操作部８１は、ユーザによって操作され、その操作に対応する操作信号を、制御部８０に供給する。なお、操作部８１には、物理的なボタン等の他、表示部７６にGUI(Graphics User Interface)として表示されるボタンも含まれる。
【０２７３】
図２２は、図２１の受信端末３３でのステーション情報の取得と利用を説明する図である。
【０２７４】
上述したように、ステーション３２が、ステーション情報をNITに含めて送信する場合には、受信端末３３は、例えば、チャンネルスキャン時等に受信されるNITから、ステーション情報を取得することができる。
【０２７５】
また、受信端末３３は、図１６で説明したように、チャンネルスキャン以外の方法で、ステーション情報を取得することができる。
【０２７６】
受信端末３３では、制御部８０が、ステーション情報を取得し、必要に応じて、ステーション情報を登録（記憶）するリストであるステーションリストに、ステーション情報を登録する。
【０２７７】
そして、制御部８０は、ステーション情報を用いて、選局制御を行う。
【０２７８】
［制御部８０の構成例］
【０２７９】
図２３は、図２１の制御部８０の、ステーション情報を用いた選局制御を行う部分の機能的構成例を示すブロック図である。
【０２８０】
図２３において、制御部８０は、ステーション情報取得部１１１，１１２、及び、１１３、登録部１１４、記憶部１１５、更新部１１６、ステーション選択部１１７、並びに、選局制御部１１８を有する。
【０２８１】
ステーション情報取得部１１１ないし１１３は、ステーション情報を取得する。
【０２８２】
すなわち、ステーション情報取得部１１１は、チューナ７２がチャンネルスキャンを行うこと等によって得られるNITから、ステーション情報を取得し、登録部１１４、及び、選局制御部１１８に供給する。
【０２８３】
ここで、後述する選局制御部１１８は、例えば、操作部８１がチャンネルスキャンを行うように操作された場合に、プリセット周波数として記憶している、地上ディジタル放送の各物理チャンネルの中央セグメントの周波数を順番に選局するように、チューナ７２を制御する選局制御を行う。
【０２８４】
チューナ７２は、選局制御部１１８の選局制御に従い、プリセット周波数を選局し、選局したプリセット周波数において、エリア限定放送が受信可能である場合、すなわち、選局の結果、エリア限定放送のTSを得ることができた場合、そのTSを、デマルチプレクサ７３に供給する。
【０２８５】
デマルチプレクサ７３は、チューナ７２からのTSからPSIを分離し、制御部８０に供給する。
【０２８６】
制御部８０は、以上のようにして、チャンネルスキャン時に、デマルチプレクサ７３から供給されるPSIに含まれるNIT及びSDTから、必要に応じて、そのときに受信可能なサービス（エリア限定放送）の選局情報を登録した選局テーブルを作成する。
【０２８７】
また、制御部８０では、ステーション情報取得部１１１が、チャンネルスキャン時に得られるNITから、ステーション情報を取得する。
【０２８８】
ステーション情報取得部１１２は、ダイレクト方式で、ステーション情報を取得し、登録部１１４、及び、選局制御部１１８に供給する。
【０２８９】
ここで、例えば、ステーション３２が行うエリア限定放送が、ステーション３２の放送エリア内で行われているイベントに関する放送である場合に、ステーション３２の放送エリアには、そのステーション３２のステーション情報を、バーコード等の形で印刷したポスタや、そのステーション情報を記憶させた無線タグを内蔵させたポスタを掲示することができる。
【０２９０】
この場合、ステーション情報取得部１１２は、バーコードを読み取る読み取り装置や、無線タグと近接通信（非接触通信）を行うリーダライタを内蔵し、ユーザが、ステーション３２のステーション情報を取得するために、受信端末３３を、ポスタに近づけたときに、そのポスタのバーコードや無線タグから、ステーション３２のステーション情報を取得する。
【０２９１】
以上のように、特定のステーション３２の放送エリアにおいて、そのステーション３２のステーション情報のみを取得することができる、ステーション情報の取得の方式が、ダイレクト方式である。
【０２９２】
ステーション情報取得部１１３は、チャンネルスキャン、及び、ダイレクト方式以外の方式（その他方式）で、ステーション情報を取得し、登録部１１４に供給する。
【０２９３】
すなわち、チューナ７２において、任意ワンセグ放送や通常ワンセグ放送を受信している（任意ワンセグ放送や通常ワンセグ放送のTSが得られている）場合に、その任意ワンセグ放送や通常ワンセグ放送のTSのNITに、１以上のステーションそれぞれのステーション情報が含まれているときには、ステーション情報取得部１１３は、そのステーション情報を取得することができる。
【０２９４】
また、例えば、受信端末３３が、Webブラウザの機能を有しており、インターネット上のWebサーバが、１以上のステーションそれぞれのステーション情報を提供している場合には、ステーション情報取得部１１３は、Webサーバにアクセスし、ステーション情報を取得することができる。
【０２９５】
さらに、例えば、１以上のステーションそれぞれのステーション情報を提供しているサーバから、そのステーション情報をダウンロードしたPCに対して、受信端末３３が接続された場合に、ステーション情報取得部１１３は、PCから、ステーション情報を取得することができる。
【０２９６】
また、例えば、１以上のステーションそれぞれのステーション情報を、バーコードの形で印刷した印刷物(例えば、ポスタや、カタログ、雑誌等)や、１以上のステーションそれぞれのステーション情報を記憶させた無線タグを内蔵させた印刷物が提供されている場合において、ユーザが、受信端末３３を、印刷物に近づけたときに、ステーション情報取得部１１３は、その印刷物のバーコードや無線タグから、ステーション情報を取得することができる。
【０２９７】
登録部１１４は、ステーション情報取得部１１１ないし１１３から供給されるステーション情報を、必要に応じて、記憶部１１５に供給して記憶させる（記憶部１１５のステーションリストに登録する）。
【０２９８】
すなわち、登録部１１４は、ステーション情報取得部１１１ないし１１３から供給されるステーション情報のうちの、ユーザが登録を要求したステーション情報のみを、記憶部１１５に記憶させる。
【０２９９】
ここで、例えば、選局制御部１１８が、ステーション情報取得部１１１から供給されるステーション情報を用いて選局制御を行うことで、チューナ７２が受信したエリア限定放送を視聴したユーザが、その後に、そのエリア限定放送の視聴を希望しないことがある。
【０３００】
この場合、そのエリア限定放送を行ってるステーション情報は、不要である。
【０３０１】
また、記憶部１１５に、そのような不要なステーション情報を含む多数のステーション情報が記憶されると、後述するステーションリスト画面に、多数のステーション（のステーション名）が表示され、その結果、ユーザが所望のステーションを選択しにくくなることがある。
【０３０２】
そこで、登録部１１４は、ユーザが登録を要求するように、操作部８１（図２１）を操作（以下、ブックマーク操作ともいう）した場合に、ステーション情報を、記憶部１１５に記憶させることができる。
【０３０３】
これにより、ステーションリスト画面に、多数のステーションが表示されることにより、ユーザが所望のステーションを選択しにくくなることを防止することができる。
【０３０４】
記憶部１１５は、登録部１１４から供給されるステーション情報を記憶する。すなわち、記憶部１１５は、ステーション情報を登録するステーションリストを記憶しており、登録部１１４から供給されるステーション情報を、ステーションリストに登録する。
【０３０５】
更新部１１６は、記憶部１１５に記憶されたステーション情報の更新を行う。
【０３０６】
すなわち、ステーション情報は、図１４に示したように、ステーションがエリア限定放送を行っている期間であるエリア限定放送有効期間の開始の日時である送信有効開始日時、及び、終了の日時である送信有効終了日時を含んでいる。
【０３０７】
更新部１１６は、記憶部１１５に記憶されたステーション情報の送信有効開始日時、及び、送信有効終了日時から認識されるエリア限定放送有効期間が経過したステーション情報を、記憶部１１５から削除する。
【０３０８】
具体的には、更新部１１６は、例えば、定期的に、記憶部１１５に記憶されたステーション情報の送信有効終了日時を確認し、その送信有効終了日時が、現在時刻から見て過去の日時になってるステーション情報を、記憶部１１５から削除する。
【０３０９】
以上のように、更新部１１６において、記憶部１１５に記憶されたステーション情報の更新を行うことで、ステーションリスト画面に、エリア限定放送を既に行っていないステーションを含む多数のステーションが表示されることにより、ユーザが所望のステーションを選択しにくくなることを防止することができる。
【０３１０】
ステーション選択部１１７は、記憶部１１５に記憶されたステーション情報に含まれる、そのステーション情報に対応するステーションからの放送波を受信することが可能な放送エリアの放送エリア情報を用い、所定の位置において受信可能なエリア限定放送のステーションを、選局が可能な選局可能ステーションとして選択し、その選局可能ステーションのステーション情報を、選局制御部１１８に供給する。
【０３１１】
ここで、図１４で説明したように、ステーション情報の地域名称や、送信局経度、及び、送信局緯度、並びに、送信出力のセットが、放送エリア情報である。
【０３１２】
選局制御部１１８は、ステーション情報取得部１１１や１１２、ステーション選択部１１７から供給されるステーション情報を用い、そのステーション情報に対応するステーションのエリア限定放送を、チューナ７２（図２１）に選局させる選局制御を行う。
【０３１３】
また、選局制御部１１８は、ステーション選択部１１７から供給される、選局可能ステーションのステーション情報を用い、その選局可能ステーションのステーション名を表示したステーションリスト画面や、選局可能ステーションが行っているエリア限定放送（サービス）のサービス名を表示したチャンネルリスト画面等を表示部７６（図２１）に表示するように、選択部７５を制御する表示制御を行う。
【０３１４】
［受信端末３３による、ステーション情報を取得する処理］
【０３１５】
図２４は、図２１の受信端末３３が、チャンネルスキャンによってステーション情報を取得して、サービスを受信する処理を説明するフローチャートである。
【０３１６】
例えば、ユーザが、チャンネルスキャンのメニュー画面であるスキャン操作画面を表示するように、操作部８１（図２１）を操作すると、ステップＳ１０１において、選局制御部１１８（図２３）は、選択部７５（図２１）を制御することにより、スキャン操作画面を、表示部７６（図２１）に表示させ、処理は、ステップＳ１０２に進む。
【０３１７】
ステップＳ１０２では、選局制御部１１８は、スキャン操作画面のスキャンボタンが操作されたかどうかを判定する。
【０３１８】
すなわち、スキャン操作画面には、チャンネルスキャンを行うときに操作されるスキャンボタンが設けられており、ステップＳ１０２では、そのスキャンボタンが操作されたかどうかが判定される。
【０３１９】
ステップＳ１０２において、スキャンボタンが操作されていないと判定された場合、処理は、ステップＳ１０２に戻る。
【０３２０】
また、ステップＳ１０２において、スキャンボタンが操作されたと判定された場合、処理は、ステップＳ１０３に進み、選局制御部１１８は、チューナ７２にチャンネルスキャンを行わせ、ステーション情報を取得する。
【０３２１】
すなわち、選局制御部１１８は、スキャンボタンが操作されると、地上ディジタル放送の各物理チャンネルの中央セグメントの周波数（プリセット周波数）を順番に選局するように、チューナ７２を制御する選局制御を行う。
【０３２２】
ここで、選局制御部１１８によるチューナ７２の選局制御では、地上ディジタル放送の各物理チャンネルの中央セグメントだけの周波数ではなく、各物理チャンネルの各セグメントの周波数を順番に選局するように、チューナ７２を制御することができる。
【０３２３】
チューナ７２は、選局制御部１１８の選局制御に従い、プリセット周波数を選局し、選局したプリセット周波数において、エリア限定放送が受信可能である場合、すなわち、選局の結果、エリア限定放送のTSを得ることができた場合、そのTSを、デマルチプレクサ７３に供給する。
【０３２４】
デマルチプレクサ７３は、チューナ７２からのTSからPSIを分離し、制御部８０に供給する。
【０３２５】
制御部８０は、以上のようにして、チャンネルスキャン時に、デマルチプレクサ７３から供給されるPSIに含まれるNIT及びSDTから、必要に応じて、そのときに受信可能なサービス（エリア限定放送）の選局情報を登録した選局テーブルを作成する。
【０３２６】
また、制御部８０では、ステーション情報取得部１１１が、チャンネルスキャン時に得られるNITから、ステーション情報を取得する。
【０３２７】
なお、NITから取得されたステーション情報に対応するステーションがエリア限定放送を行っている周波数（エントリ周波数）は、そのステーション情報が含まれていたNITから認識することができるが、ここでは、説明を簡単にするために、エントリ周波数は、ステーション情報に含まれることとする。
【０３２８】
ステップＳ１０３において、ステーション情報取得部１１１は、以上のようにしてステーション情報を取得すると、そのステーション情報を、登録部１１４、及び、選局制御部１１８に供給して、処理は、ステップＳ１０４に進む。
【０３２９】
ステップＳ１０４では、選局制御部１１８は、ステーション情報取得部１１１からのステーション情報を用い、そのステーション情報に対応するステーションでエリア限定放送として行われているサービスのサービス名を表示したチャンネルリスト画面を生成し、選択部７５を介して、表示部７６に表示させる。
【０３３０】
ここで、あるステーション情報に対応するステーションでエリア限定放送がされているサービスのサービス名は、そのステーション情報が含まれていたNITに含まれるサービスIDに基づき、SDTから認識することができる。
【０３３１】
その後、処理は、ステップＳ１０４からステップＳ１０５に進み、選局制御部１１８は、チャンネルリスト画面に表示されたサービス名（論理チャンネル）のいずれかを選択するように、操作部８１が操作されたか否かを判定する。
【０３３２】
ステップＳ１０５において、チャンネルリスト画面に表示されたサービス名のいずれかを選択するように、操作部８１が操作されていないと判定された場合、処理は、ステップＳ１０５に戻る。
【０３３３】
また、ステップＳ１０５において、チャンネルリスト画面に表示されたサービス名のいずれかを選択するように、操作部８１が操作されたと判定された場合、処理は、ステップＳ１０６に進み、選局制御部１１８は、操作部８１の操作によって選択されたサービス名のサービスである選択サービス（論理チャンネル）（セグメント）を選局する選局制御を行う。
【０３３４】
すなわち、選択サービスのエリア限定放送を行っているステーションのステーション情報に含まれるエントリ周波数（図１４）のセグメント（代表セグメント）で送信されてくるNITには、そのステーションで行われているサービスの周波数が含まれており、選局制御部１１８は、そのNIT（又は、可能であれば、既に作成された選局テーブル）から、選択サービスの（エリア限定放送が行われている）周波数を認識する。
【０３３５】
そして、選局制御部１１８は、選択サービスの周波数を選局するように、チューナ７２（図２１）を制御する。
【０３３６】
チューナ７２は、選局制御部１１８の選局制御に従い、選択サービスを選局し、エリア限定放送が受信可能である場合、すなわち、選局の結果、エリア限定放送のTSを得ることができた場合、そのTSを、デマルチプレクサ７３（図２１）に供給する。
【０３３７】
デマルチプレクサ７３は、チューナ７２からのTSから、エリア限定放送のビデオデータ、オーディオデータ、及び、表示制御情報を分離し、ビデオデコーダ７４、オーディオデコーダ７７、及び、ブラウザ７９に、それぞれ供給する。
【０３３８】
これにより、例えば、表示部７６では、選択サービスの画像が表示されるとともに、スピーカ７８では、選択サービスの音声が出力され、ユーザは、選択サービスを視聴することができる。
【０３３９】
その後、処理は、ステップＳ１０６からステップＳ１０７に進み、登録部１１４は、ユーザがブックマーク操作を行ったかどうかを判定する。
【０３４０】
すなわち、選局制御部１１８は、表示部７６に、選択サービスの画像が表示されるときに、選択部７５を介して、表示部７６に、ブックマークボタンも表示させる。
【０３４１】
登録部１１４は、ステップＳ１０７において、ブックマークボタンを操作するブックマーク操作が行われたかどうかを判定する。
【０３４２】
ステップＳ１０７において、ブックマーク操作が行われたと判定された場合、処理は、ステップＳ１０８に進み、登録部１１４は、ステーション情報取得部１１１からのステーション情報のうちの、選択サービスのエリア限定放送を行っているステーションのステーション情報を、記憶部１１５のステーションリストに登録して、処理を終了する。
【０３４３】
また、ステップＳ１０７において、ブックマーク操作が行われていないと判定された場合、処理は、ステップＳ１０８をスキップして終了する。
【０３４４】
したがって、ステーション情報取得部１１１において取得された、選択サービスのエリア限定放送を行っているステーションのステーション情報は、ブックマーク操作が行われた場合にのみ、記憶部１１５のステーションリストに登録される。
【０３４５】
図２５は、図２１の受信端末３３が、チャンネルスキャンによってステーション情報を取得して、サービスを受信する場合の、表示部７６の表示例を示す図である。
【０３４６】
図２４で説明したように、ユーザが、スキャン操作画面を表示するように、操作部８１（図２１）を操作すると、受信端末３３では、スキャンボタンを有するスキャン操作画面が、表示部７６に表示される。
【０３４７】
ユーザが、表示部７６に表示されたスキャン操作画面のスキャンボタンを操作すると、受信端末３３では、チャンネルスキャンが行われる。
【０３４８】
そして、受信端末３３では、ステーション情報取得部１１１が、チャンネルスキャン時に得られるNITからステーション情報を取得する。
【０３４９】
さらに、受信端末３３では、選局制御部１１８が、ステーション情報取得部１１１によって取得されたステーション情報に対応するステーションでエリア限定放送として行われているサービスのサービス名を表示したチャンネルリスト画面を生成し、表示部７６に表示する。
【０３５０】
その後、ユーザが、チャンネルリスト画面に表示されたいずれかのサービス名（論理チャンネル）を選択すると、受信端末３３では、そのサービス名のサービスを選択サービスとして、チューナ７２が、選択サービスを選局する。
【０３５１】
そして、受信端末３３では、チューナ７２による選局の結果、TSを受信することができた選択サービスの画像が表示された放送受信画面が、表示部７６に表示される。
【０３５２】
放送受信画面には、さらに、ブックマークボタンが表示される。ブックマークボタンが操作されると、受信端末３３では、登録部１１４が、ステーション情報取得部１１１によって取得されたステーション情報のうちの、選択サービスのエリア限定放送を行っているステーションのステーション情報を、記憶部１１５のステーションリストに登録する。
【０３５３】
図２６は、図２１の受信端末３３が、ダイレクト方式でステーション情報を取得して、サービスを受信する処理を説明するフローチャートである。
【０３５４】
例えば、ユーザが、ダイレクト方式でステーション情報を取得するように、操作部８１を操作し、例えば、所定のステーションのステーション情報を、バーコードの形で印刷したポスタの、そのバーコードに、受信端末３３を近づけると、ステップＳ１１１において、ステーション情報取得部１１２（図２３）は、そのバーコードを読み取ることにより、ステーション情報を取得し、登録部１１４、及び、選局制御部１１８に供給して、処理は、ステップＳ１１２に進む。
【０３５５】
ステップＳ１１２では、選局制御部１１８は、ステーション情報取得部１１２からのステーション情報を用い、そのステーション情報のエントリ周波数でエリア限定放送されているサービスを選局する選局制御を行う。
【０３５６】
すなわち、選局制御部１１８は、ステーション情報取得部１１２からのステーション情報のエントリ周波数を選局するように、チューナ７２（図２１）を制御する。
【０３５７】
チューナ７２は、選局制御部１１８の選局制御に従い、エントリ周波数を選局し、そのエントリ周波数において、エリア限定放送が受信可能である場合、すなわち、選局の結果、エリア限定放送のTSを得ることができた場合、そのTSを、デマルチプレクサ７３に供給する。
【０３５８】
デマルチプレクサ７３は、チューナ７２からのTSから、エリア限定放送のビデオデータ、オーディオデータ、及び、表示制御情報を分離し、ビデオデコーダ７４、オーディオデコーダ７７、及び、ブラウザ７９に、それぞれ供給する。
【０３５９】
これにより、表示部７６では、ステーション情報取得部１１２で取得されたステーション情報のエントリ周波数でエリア限定放送がされているサービス（以下、ダイレクト取得サービスともいう）の画像が表示されるとともに、スピーカ７８では、ダイレクト取得サービスの音声が出力され、ユーザは、ダイレクト取得サービスを視聴することができる。
【０３６０】
その後、処理は、ステップＳ１１２からステップＳ１１３に進み、登録部１１４は、ユーザがブックマーク操作を行ったかどうかを判定する。
【０３６１】
すなわち、選局制御部１１８は、表示部７６に、ダイレクト取得サービスの画像（放送受信画面）が表示されるときに、図２５に示した場合と同様に、選択部７５を介して、表示部７６に、ブックマークボタンも表示させる。
【０３６２】
登録部１１４は、ステップＳ１１３において、ブックマークボタンを操作するブックマーク操作が行われたかどうかを判定する。
【０３６３】
ステップＳ１１３において、ブックマーク操作が行われたと判定された場合、処理は、ステップＳ１１４に進み、登録部１１４は、ステーション情報取得部１１２からのステーション情報、すなわち、ダイレクト取得サービスのエリア限定放送を行っているステーションのステーション情報を、記憶部１１５のステーションリストに登録して、処理を終了する。
【０３６４】
また、ステップＳ１１３において、ブックマーク操作が行われていないと判定された場合、処理は、ステップＳ１１４をスキップして終了する。
【０３６５】
したがって、ステーション情報取得部１１２において取得されたステーション情報は、ブックマーク操作が行われた場合にのみ、記憶部１１５のステーションリストに登録される。
【０３６６】
図２７は、図２１の受信端末３３が、その他方式でステーション情報を取得する処理を説明するフローチャートである。
【０３６７】
ステップＳ１２１において、ステーション情報取得部１１３（図２３）は、図２３で説明したように、その他方式でステーション情報を取得し、登録部１１４に供給して、処理は、ステップＳ１２２に進む。
【０３６８】
ステップＳ１２２では、登録部１１４は、ステーション情報取得部１１３からのステーション情報をすべてを、記憶部１１５のステーションリストに登録して、処理を終了する。
【０３６９】
したがって、ステーション情報取得部１１３が取得したステーション情報は、すべて、記憶部１１５のステーションリストに登録される。
【０３７０】
［ステーション情報を用いた選局処理］
【０３７１】
図２８は、受信端末３３において、ステーション情報を用いて選局を行う選局処理を説明するフローチャートである。
【０３７２】
ここで、選局処理のモードには、個別選択モード、順次選択モード、地図表示モード、及び、GPSモードがあり、図２８のフローチャートは、個別選択モードの選局処理を示している。
【０３７３】
なお、どのモードの選局処理を行うかは、例えば、ユーザが操作部８１を操作することにより選択することができる。
【０３７４】
ステップＳ１３１において、選局制御部１１８は、地域選択画面を生成し、表示部７６に表示させる。
【０３７５】
すなわち、ステーション選択部１１７は、記憶部１１５のステーションリストに登録されたステーション情報を、順次、注目する注目ステーション情報として選択し、その注目ステーション情報の地域名称（図１４）を、地域選択画面に表示する表示地名として選択する。
【０３７６】
なお、ステーション選択部１１７は、表示地名として既に選択した地域名称と一致する地域名称は、表示地名として選択しない。
【０３７７】
ステーション選択部１１７は、記憶部１１５のステーションリストに登録されたステーション情報すべてを、注目ステーション情報として、表示地名を選択すると、その表示地名の一覧を、選局制御部１１８に供給する。
【０３７８】
選局制御部１１８は、ステーション選択部１１７からの表示地名の一覧を表示した地域選択画面を生成し、表示部７６に表示させる。
【０３７９】
ステップＳ１３１において、地域選択画面が表示されると、処理は、ステップＳ１３２に進み、ステーション選択部１１７は、ユーザが、操作部８１を操作することにより、地域選択画面に表示されたいずれかの表示地名としての地域名称が選択されたかどうかを判定する。
【０３８０】
ここで、地域選択画面に、多数の表示地名が表示されている場合、ユーザが、所望の表示地名を選択しにくくなることがある。
【０３８１】
そこで、地域選択画面に表示する表示地名は、制限することができる。
【０３８２】
すなわち、ステーション選択部１１７が、例えば、GPS(Global Positioning System)等の現在地を取得する機能を有する場合には、ステーション選択部１１７において、現在地に近い地域の表示地名だけを、選局制御部１１８に供給することにより、地域選択画面に表示する表示地名を、現在地に近い地域の表示地名だけに制限することができる。
【０３８３】
ステップＳ１３２において、地域選択画面に表示されたいずれかの表示地名も選択されていないと判定された場合、処理は、ステップＳ１３２に戻る。
【０３８４】
また、ステップＳ１３２において、地域選択画面に表示されたいずれかの表示地名が選択されたと判定された場合、処理は、ステップＳ１３３に進み、ステーション選択部１１７は、地域選択画面から選択された表示地名を、選択地名として、記憶部１１５のステーションリストに登録されたステーション情報から、地域名称が、選択地名に一致するステーション情報を選択する。
【０３８５】
さらに、ステーション選択部１１７は、記憶部１１５のステーションリストに登録されたステーション情報から選択した、地域名称が選択地名に一致するステーション情報を、選局可能ステーションのステーション情報を登録する選局可能リストに登録し、選局制御部１１８に供給して、処理は、ステップＳ１３４に進む。
【０３８６】
ステップＳ１３４では、選局制御部１１８は、ステーション選択部１１７からの選局可能リストにステーション情報が登録されたステーション、つまり、選局可能ステーション（によるエリア限定放送）の受信確認を行うかどうかを判定する。
【０３８７】
ここで、選局可能ステーションの受信確認とは、選局可能ステーションによるエリア限定放送（サービス）を実際に受信すること、つまり、選局可能ステーションによるエリア限定放送を選局したときに、そのエリア限定放送のTSを得ることができることを確認することである。
【０３８８】
受信確認を行うかどうかは、例えば、操作部８１を操作することで設定することができる。
【０３８９】
ステップＳ１３４において、受信確認を行わないと判定された場合、処理は、ステップＳ１３５ないしＳ１３９をスキップすることにより、受信確認を行わずに、処理は、ステップＳ１４０に進む。
【０３９０】
また、ステップＳ１３４において、受信確認を行うと判定された場合、処理は、ステップＳ１３５に進み、以下、ステップＳ１３５ないしＳ１３９において、受信確認が行われる。
【０３９１】
すなわち、ステップＳ１３５において、選局制御部１１８は、ステーション選択部１１７からの選局可能リストの１番目のステーション情報を、注目ステーション情報(以下、注目情報ともいう)に選択する。
【０３９２】
さらに、ステップＳ１３５では、選局制御部１１８は、注目ステーション情報を用い、その注目ステーション情報のエントリ周波数でエリア限定放送されているサービスを選局するように、チューナ７２を制御する選局制御を行う。
【０３９３】
その後、処理は、ステップＳ１３５からステップＳ１３６に進み、選局制御部１１８は、注目ステーション情報のエントリ周波数でエリア限定放送されているサービスを受信することができたかどうか、すなわち、選局の結果、チューナ７２において、TSを得ることができたかどうかを判定する。
【０３９４】
ステップＳ１３６において、注目ステーション情報のエントリ周波数でエリア限定放送されているサービスを受信することができなかったと判定された場合、処理は、ステップＳ１３７に進み、選局制御部１１８は、選局可能リストから、注目ステーション情報を削除して、処理は、ステップＳ１３８に進む。
【０３９５】
すなわち、例えば、現在地が、注目ステーション情報に対応するステーションである注目ステーションの放送エリア内であるが、その注目ステーションと現在地との間に、ビル等の障害物が存在する、あるいは、現在地が、注目ステーションから離れすぎている、等の理由により、注目ステーションによるエリア限定放送のサービスのTSを受信することができない場合、選局制御部１１８は、選局可能リストから、注目ステーション情報を削除することで、注目ステーションを、選局可能ステーションから除外する。
【０３９６】
一方、ステップＳ１３６において、注目ステーション情報のエントリ周波数でエリア限定放送されているサービスを受信することができたと判定された場合、処理は、ステップＳ１３７をスキップして、ステップＳ１３８に進み、選局制御部１１８は、選局可能リストのすべてのステーション情報を、注目ステーション情報としたかどうかを判定する。
【０３９７】
ステップＳ１３８において、選局可能リストのステーション情報の中で、まだ、注目ステーション情報としていないステーション情報があると判定された場合、処理は、ステップＳ１３９に進み、選局制御部１１８は、選局可能リストのステーション情報のうちの、いま、注目ステーション情報になっているステーション情報の次のステーション情報を、新たな注目ステーション情報として選択する。
【０３９８】
さらに、ステップＳ１３９では、選局制御部１１８は、注目ステーション情報を用い、その注目ステーション情報のエントリ周波数でエリア限定放送されているサービスを選局するように、チューナ７２を制御する選局制御を行い、処理は、ステップＳ１３６に戻る。
【０３９９】
また、ステップＳ１３８において、選局可能リストのすべてのステーション情報を、注目ステーション情報としたと判定された場合、すなわち、選局可能リストのすべてのステーション情報について、受信確認が終了した場合、処理は、ステップＳ１４０に進み、選局制御部１１８は、ステーションリスト画面を生成し、表示部７６に表示させる。
【０４００】
すなわち、ステップＳ１４０では、選局制御部１１８は、選局可能リストのステーション情報から、選局可能ステーションのステーション名（図１４）を認識する。
【０４０１】
そして、選局制御部１１８は、選局可能ステーションのステーション名の一覧を表示したリストであるステーションリスト画面を生成し、表示部７６に表示させ、処理は、ステップＳ１４０からステップＳ１４１に進む。
【０４０２】
ステップＳ１４１では、選局制御部１１８は、ユーザが選局操作を行ったかどうかを判定し、行っていないと判定した場合、処理は、ステップＳ１４１に戻る。
【０４０３】
ここで、選局操作とは、ステーションの選択と、そのステーションがエリア限定放送を行っているサービスの選択とを行う操作である。
【０４０４】
すなわち、ユーザは、ステーションリスト画面に表示されたステーション名の中から、所望のステーション（選局可能ステーション）のステーション名を、操作部８１を操作することにより選択することができる。
【０４０５】
ユーザが、ステーションリスト画面に表示されたいずれかのステーション名を選択すると、選局制御部１１８は、ユーザがステーション名を選択したステーション（選局可能ステーション）である選択ステーションのステーション情報のエントリ周波数（図１４）のセグメント（代表セグメント）で送信されてくるNIT及びSDT（又は、可能であれば、既に作成された選局テーブル）から、選択ステーションがエリア限定放送を行っている１以上のサービスの周波数とサービス名を認識する。
【０４０６】
さらに、選局制御部１１８は、選択ステーションがエリア限定放送を行っている１以上のサービスのサービス名を表示したチャンネルリスト画面を生成し、表示部７６に表示させる。
【０４０７】
ユーザは、チャンネルリスト画面に表示されたサービス名の中から、所望のサービスのサービス名を、操作部８１を操作することにより選択することができる。
【０４０８】
ユーザが、チャンネルリスト画面に表示されたいずれかのサービス名を選択すると、選局制御部１１８は、ユーザがサービス名を選択したサービスである選択サービス（論理チャンネル）（セグメント）をチューナ７２に選局させる選局制御を行う。
【０４０９】
これにより、例えば、図２４のステップＳ１０６で説明したようにして、表示部７６では、選択サービスの画像が表示されるとともに、スピーカ７８では、選択サービスの音声が出力される。
【０４１０】
ステップＳ１４１では、以上のような、ステーションリスト画面に表示されたステーション名からの、選択ステーションのステーション名の選択と、チャンネルリスト画面に表示された、選択ステーションがエリア限定放送を行っているサービスのサービス名からの、選択サービスのサービス名の選択である選局操作が行われたかどうかが判定される。
【０４１１】
ステップＳ１４１において、選局操作が行われたと判定された場合、すなわち、ステーションリスト画面から１つのステーションが、選択ステーションとして選択され、さらに、その選択ステーションがエリア限定放送を行っている１以上のサービスのサービス名が表示されたチャンネルリスト画面から１つのサービスが、選択サービスとして選択された場合、処理は、ステップＳ１４２に進み、選局制御部１１８は、選択サービスをチューナ７２に選局させる選局制御を行い、個別選択モードの選局処理は終了する。
【０４１２】
以上のように、受信端末３３では、ステーション情報取得部１１１ないし１１３において、ステーション情報が取得され、記憶部１１５において、ステーション情報が記憶される。
【０４１３】
さらに、ステーション選択部１１７において、記憶部１１５に記憶されたステーション情報に含まれる放送エリア情報としての地域名称を用い、ユーザが選択した表示地名に一致する地域名称を有するステーション、つまり、ユーザが選択した表示地名の位置において受信可能なエリア限定放送を行っているステーションが、選局が可能な選局可能ステーションとして選択され、そのステーション名が選局可能リストに登録される。
【０４１４】
そして、選局制御部１１８において、選局可能リストに登録されたステーション名が表示されたステーションリスト画面が、選局可能ステーションの情報として表示され、ステーションリスト画面、及び、チャンネルリスト画面から、ユーザが選択した選局可能ステーションがエリア限定放送を行っているサービス（選択サービス）の選局制御が行われる。
【０４１５】
したがって、受信端末３３では、ステーション情報を取得後に、ユーザが選択した表示地名の位置において受信可能なエリア限定放送（サービス）を、ステーションリスト画面、及び、チャンネルリスト画面の形で、迅速に提示することができる。
【０４１６】
なお、受信確認を行わない場合には、ステーションリスト画面、及び、チャンネルリスト画面から、ユーザが選択した選局可能ステーションがエリア限定放送を行っているサービスを受信することができない場合がある。
【０４１７】
図２９は、図２１の受信端末３３において、個別選択モードの選局処理が行われる場合の、表示部７６の表示例を示す図である。
【０４１８】
個別選択モードでは、図２８で説明したように、ステーション情報の地域名称が表示地名として表示された地域選択画面が、表示部７６に表示される。
【０４１９】
ユーザが、地域選択画面に表示されたいずれかの表示地名を選択すると、記憶部１１５のステーションリストに登録されたステーション情報の地域名称が、地域選択画面から選択された表示地名である選択地名に一致するステーション情報に対応するステーションを、選局可能ステーションとして、その選局可能ステーションのステーション名が表示されたステーションリスト画面が、表示部７６に表示される。
【０４２０】
ここで、図２９では、地域選択画面に、表示地名「新宿」、「渋谷」、「丸の内」、「品川」、及び、「横浜」が表示されており、その表示地名のうちの、「品川」が選択されている。
【０４２１】
さらに、図２９では、ステーション情報の地域名称が「品川」になっているステーションとして、ステーション名が、「品川コミュニティ」、「品川プリンスＳ」、及び、「Wing Station」の３つのステーションが存在しており、ステーションリスト画面には、そのステーション名「品川コミュニティ」、「品川プリンスＳ」、及び、「Wing Station」が表示されている。
【０４２２】
ユーザが、ステーションリスト画面に表示されたいずれかのステーション名を選択すると、ユーザがステーション名を選択したステーション（選局可能ステーション）である選択ステーションがエリア限定放送を行っている１以上のサービスのサービス名が表示されたチャンネルリスト画面が、表示部７６に表示される。
【０４２３】
ここで、図２９では、ステーション名「品川コミュニティ」が選択されている。
【０４２４】
そして、ステーション名「品川コミュニティ」では、サービス名が「品川第１」及び「品川第２」の２つのサービスのエリア限定放送が行われており、チャンネルリスト画面には、そのサービス名「品川第１」及び「品川第２」が表示されている。
【０４２５】
ユーザが、チャンネルリスト画面に表示されたサービス名の中から、所望のサービスのサービス名を選択すると、チューナ７２において、サービス名が選択されたサービスである選択サービスが受信され、その選択サービスの画像が表示された放送受信画面が、表示部７６に表示される。
【０４２６】
図３０は、受信端末３３において、ステーション情報を用いて選局を行う選局処理のうちの、順次選択モードの選局処理を説明するフローチャートである。
【０４２７】
順次選択モードの選局処理では、ステップＳ１６１ないしＳ１６３において、図２８のステップＳ１３１ないしＳ１３３とそれぞれ同様の処理が行われる。
【０４２８】
すなわち、地域選択画面が、表示部７６に表示され、ユーザが、地域選択画面に表示されたいずれかの表示地名としての地域名称を選択すると、地域選択画面から選択された表示地名を、選択地名として、記憶部１１５のステーションリストに登録されたステーション情報から、地域名称が、選択地名に一致するステーション情報が、選局可能ステーションのステーション情報として選択され、選局可能リストに登録される。
【０４２９】
その後、ステップＳ１６４において、選局制御部１１８は、選局可能リストの１番目のステーション情報を、注目ステーション情報に選択する。
【０４３０】
さらに、ステップＳ１６４では、選局制御部１１８は、注目ステーション情報を用い、その注目ステーション情報のエントリ周波数でエリア限定放送されているサービスを選局するように、チューナ７２を制御する選局制御を行って、処理は、ステップＳ１６５に進む。
【０４３１】
ステップＳ１６５では、選局制御部１１８は、注目ステーション情報のエントリ周波数でエリア限定放送されているサービスを受信することができたかどうか、すなわち、選局の結果、チューナ７２において、TSを得ることができたかどうかを判定する。
【０４３２】
ステップＳ１６５において、注目ステーション情報のエントリ周波数でエリア限定放送されているサービスを受信することができなかったと判定された場合、処理は、ステップＳ１６６ないしＳ１６８をスキップして、ステップＳ１６９に進む。
【０４３３】
また、ステップＳ１６５において、注目ステーション情報のエントリ周波数でエリア限定放送されているサービスを受信することができたと判定された場合、処理は、ステップＳ１６６に進み、選局制御部１１８は、注目ステーション情報のエントリ周波数でエリア限定放送されているサービスを、表示部７６及びスピーカ７８から出力させる。
【０４３４】
すなわち、選局制御部１１８は、チューナ７２でTSを得ることができたサービスの画像を、表示部７６に表示させるとともに、そのサービスの音声を、スピーカ７８から出力させる。
【０４３５】
その後、処理は、ステップＳ１６６からステップＳ１６７に進み、選局制御部１１８は、注目ステーション情報のエントリ周波数でエリア限定放送されているサービスの画像とともに、選局可能リストの次のステーション情報に対応するステーションがエリア限定放送を行っているサービスを選局するための「次ch」ボタンを、表示部７６に表示させ、処理は、ステップＳ１６８に進む。
【０４３６】
ステップＳ１６８では、選局制御部１１８は、「次ch」ボタンが操作されたかどうかを判定し、操作されていないと判定した場合、処理は、ステップＳ１６８に戻る。
【０４３７】
また、ステップＳ１６８において、「次ch」ボタンが操作されたと判定された場合、処理は、ステップＳ１６９に進み、選局制御部１１８は、選局可能リストのすべてのステーション情報を、注目ステーション情報としたかどうかを判定する。
【０４３８】
ステップＳ１６９において、選局可能リストのステーション情報の中で、まだ、注目ステーション情報としていないステーション情報があると判定された場合、処理は、ステップＳ１７０に進み、選局制御部１１８は、選局可能リストのステーション情報のうちの、いま、注目ステーション情報になっているステーション情報の次のステーション情報を、新たな注目ステーション情報として選択する。
【０４３９】
さらに、ステップＳ１７０では、選局制御部１１８は、注目ステーション情報を用い、その注目ステーション情報のエントリ周波数でエリア限定放送されているサービスを選局するように、チューナ７２を制御する選局制御を行い、処理は、ステップＳ１６５に戻る。
【０４４０】
また、ステップＳ１６９において、選局可能リストのすべてのステーション情報を、注目ステーション情報としたと判定された場合、順次選択モードの選局処理は、終了する。
【０４４１】
図３１は、図２１の受信端末３３において、順次選択モードの選局処理が行われる場合の、表示部７６の表示例を示す図である。
【０４４２】
順次選択モードでは、図３０で説明したように、ステーション情報の地域名称が表示地名として表示された地域選択画面が、表示部７６に表示される。
【０４４３】
ユーザが、地域選択画面に表示されたいずれかの表示地名を選択すると、記憶部１１５のステーションリストに登録されたステーション情報の地域名称が、地域選択画面から選択された表示地名である選択地名に一致するステーション情報に対応するステーションを、選局可能ステーションとして、その選局可能ステーションのステーション情報が、選局可能リストに登録される。
【０４４４】
そして、選局可能リストの１番目のステーション情報が、注目ステーション情報に選択され、その注目ステーション情報のエントリ周波数でエリア限定放送されているサービスが選局される。
【０４４５】
その選局の結果、注目ステーション情報のエントリ周波数でエリア限定放送されているサービスのＴＳを得ることができた場合には、そのサービスの画像が表示された放送受信画面が、表示部７６に表示されるとともに、そのサービスの音声が、スピーカ７８から出力される。
【０４４６】
さらに、放送受信画面には、「次ch」ボタンが表示される。
【０４４７】
ユーザが、「次ch」ボタンを操作すると、選局可能リストのステーション情報のうちの、いま、注目ステーション情報になっているステーション情報の次のステーション情報が、新たな注目ステーション情報として選択され、その注目ステーション情報のエントリ周波数でエリア限定放送されているサービスが選局される。
【０４４８】
その選局の結果、注目ステーション情報のエントリ周波数でエリア限定放送されているサービスのＴＳを得ることができた場合には、そのサービスの画像が表示された放送受信画面が、表示部７６に表示されるとともに、そのサービスの音声が、スピーカ７８から出力される。
【０４４９】
また、上述の場合と同様に、放送受信画面には、「次ch」ボタンが表示され、以下同様にして、「次ch」ボタンが操作されるごとに、選局可能リストにステーション情報が登録されている選局可能ステーションがエリア限定放送を行っているサービスが、順次選局されていく。
【０４５０】
図３２は、受信端末３３において、ステーション情報を用いて選局を行う選局処理のうちの、地図表示モードの選局処理を説明するフローチャートである。
【０４５１】
ステップＳ１８１において、選局制御部１１８は、ユーザの操作に応じて、地図を、表示部７６に表示させ、処理は、ステップＳ１８２に進む。
【０４５２】
すなわち、選局制御部１１８は、地図のデータを、内蔵するメモリに記憶しており、例えば、ユーザが、所定の地域の地図を表示するように、操作部８１を操作すると、その操作に応じて、所定の地域の地図を、表示部７６に表示させる。
【０４５３】
ステップＳ１８２では、ステーション選択部１１７は、表示部７６に表示されている地図に含まれる地域の地名を、注目する注目地名として、記憶部１１５のステーションリストに登録されたステーション情報から、地域名称が、注目地名に一致するステーション情報を選択する。
【０４５４】
さらに、ステーション選択部１１７は、記憶部１１５のステーションリストに登録されたステーション情報から選択した、地域名称が注目地名に一致するステーション情報を、選局可能ステーションのステーション情報を登録する選局可能リストに登録し、選局制御部１１８に供給して、処理は、ステップＳ１８３に進む。
【０４５５】
ステップＳ１８３では、選局制御部１１８は、図２８のステップＳ１３４の場合と同様に、受信確認を行うかどうかを判定する。
【０４５６】
ステップＳ１８３において、受信確認を行わないと判定された場合、ステップＳ１８４ないしＳ１８８をスキップすることにより、受信確認を行わずに、処理は、ステップＳ１８９に進む。
【０４５７】
また、ステップＳ１８３において、受信確認を行うと判定された場合、処理は、ステップＳ１８４に進み、以下、ステップＳ１８４ないしＳ１８８において、図２８のステップＳ１３５ないしＳ１３９とそれぞれ同様の処理が行われることにおり、受信確認が行われる。
【０４５８】
そして、ステップＳ１８４ないしＳ１８８において、受信確認が終了すると、ステップＳ１８９において、選局制御部１１８は、選局可能リストにステーション情報が登録されているステーションである選局可能ステーションについて、その選局可能ステーションのステーション情報の送信局経度、及び、送信局緯度によって表される選局可能ステーションの位置に、その選局可能ステーションを表すマークを、表示部７６の地図上に表示させる。
【０４５９】
なお、表示部７６には、地図、及び、選局可能ステーションを表すマークとともに、選局可能ステーションのステーション名も表示することができる。
【０４６０】
その後、処理は、ステップＳ１８９からステップＳ１９０に進み、選局制御部１１８は、ユーザが、ステーションの選択と、そのステーションがエリア限定放送を行っているサービスの選択とを行う選局操作を行ったかどうかを判定し、行っていないと判定した場合、処理は、ステップＳ１９０に戻る。
【０４６１】
すなわち、ユーザは、表示部７６の地図上に、マークやステーション名が表示されたステーションの中から、所望のステーション（選局可能ステーション）を、操作部８１を操作することにより選択することができる。
【０４６２】
ユーザが、表示部７６の地図上に、マークやステーション名が表示されたステーションの中から、所望のステーションを選択すると、選局制御部１１８は、ユーザが選択したステーション（選局可能ステーション）である選択ステーションのステーション情報のエントリ周波数（図１４）のセグメント（代表セグメント）で送信されてくるNIT及びSDT（又は、可能であれば、既に作成された選局テーブル）から、選択ステーションがエリア限定放送を行っている１以上のサービスの周波数とサービス名を認識する。
【０４６３】
さらに、選局制御部１１８は、選択ステーションがエリア限定放送を行っている１以上のサービスのサービス名を表示したチャンネルリスト画面を生成し、表示部７６に表示させる。
【０４６４】
ユーザは、チャンネルリスト画面に表示されたサービス名の中から、所望のサービスのサービス名を、操作部８１を操作することにより選択することができる。
【０４６５】
ユーザが、チャンネルリスト画面に表示されたいずれかのサービス名を選択すると、選局制御部１１８は、ユーザがサービス名を選択したサービスである選択サービス（論理チャンネル）（セグメント）をチューナ７２に選局させる選局制御を行う。
【０４６６】
これにより、例えば、図２４のステップＳ１０６で説明したようにして、表示部７６では、選択サービスの画像が表示されるとともに、スピーカ７８では、選択サービスの音声が出力される。
【０４６７】
ステップＳ１９０では、以上のような、地図上からの、選択ステーションの選択と、チャンネルリスト画面にサービス名が表示された、選択ステーションがエリア限定放送を行っているサービスからの、選択サービスの選択である選局操作が行われたかどうかが判定される。
【０４６８】
ステップＳ１９０において、選局操作が行われたと判定された場合、すなわち、地図上の１つのステーションが、選択ステーションとして選択され、さらに、その選択ステーションがエリア限定放送を行っている１以上のサービスのサービス名が表示されたチャンネルリスト画面から１つのサービスが、選択サービスとして選択された場合、処理は、ステップＳ１９１に進み、選局制御部１１８は、選択サービスをチューナ７２に選局させる選局制御を行い、地図表示モードの選局処理は終了する。
【０４６９】
図３３は、図２１の受信端末３３において、地図表示モードの選局処理が行われる場合の、表示部７６の表示例を示す図である。
【０４７０】
地図表示モードでは、図３２で説明したように、地図が、表示部７６に表示される。
【０４７１】
さらに、地図表示モードでは、表示部７６の地図上の、選局可能ステーションの位置に、その選局可能ステーションを表すマーク（図３３では、三角形のマーク）が表示される。
【０４７２】
ユーザが、地図上の、いずれかの選局可能ステーションを表すマークに、いわゆるフォーカスするような操作を行うと、表示部７６には、そのマークに対応する選局可能ステーションのステーション名（図３３では、「品川コミュニティ」）が、例えば、地図に、スーパーインポーズする形で表示される。
【０４７３】
そして、ユーザが、地図上にマークが表示されたいずれかの選局可能ステーションを選択すると、ユーザが選択した選局可能ステーションである選択ステーションがエリア限定放送を行っている１以上のサービスのサービス名が表示されたチャンネルリスト画面が、表示部７６に表示される。
【０４７４】
ユーザが、チャンネルリスト画面に表示されたサービス名の中から、所望のサービスのサービス名を選択すると、チューナ７２において、サービス名が選択されたサービスである選択サービスが受信され、その選択サービスの画像が表示された放送受信画面が、表示部７６に表示される。
【０４７５】
図３４は、受信端末３３において、ステーション情報を用いて選局を行う選局処理のうちの、GPSモードの選局処理を説明するフローチャートである。
【０４７６】
なお、GPSモードの選局処理を行う場合には、ステーション選択部１１７は、例えば、GPS等の現在地を取得する機能を有することとする。
【０４７７】
ステップＳ２０１において、ステーション選択部１１７は、（受信端末３３の）現在地を取得し、選局制御部１１８に供給して、処理は、ステップＳ２０２に進む。
【０４７８】
ステップＳ２０２では、選局制御部１１８は、ステーション選択部１１７からの現在地を含む地図を、表示部７６に表示させ、処理は、ステップＳ２０３に進む。
【０４７９】
すなわち、選局制御部１１８は、地図のデータを、内蔵するメモリに記憶しており、ステーション選択部１１７からの現在地を含む、所定の範囲の地図を、表示部７６に表示させる。
【０４８０】
ステップＳ２０３では、ステーション選択部１１７は、現在地で受信可能であると予測されるエリア限定放送を行っているステーションのステーション情報を、記憶部１１５のステーションリストに登録されたステーション情報から選択する。
【０４８１】
すなわち、ステーション選択部１１７は、記憶部１１５のステーションリストにステーション情報が登録されたステーションを、順次、注目する注目ステーションに選択する。
【０４８２】
さらに、ステーション選択部１１７は、注目ステーションのステーション情報の送信出力、送信局経度、及び、送信局緯度に基づき、送信局経度、及び、送信局緯度によって特定される（注目ステーションの）位置を中心とする、送信出力に比例する半径の円のエリアを、注目ステーションの放送エリアとして求める。
【０４８３】
また、ステーション選択部１１７は、注目ステーションの放送エリアが、現在地を含む場合、注目ステーションは、現在地で受信可能であると予測されるエリア限定放送を行っているステーションであるとして、そのステーション情報を、記憶部１１５のステーションリストに登録されたステーション情報から選択する。
【０４８４】
そして、ステーション選択部１１７は、記憶部１１５のステーションリストに登録されたステーション情報から選択したステーションを、選局可能ステーションとして、その選局可能ステーションのステーション情報を、選局可能リストに登録し、選局制御部１１８に供給する。
【０４８５】
その後、処理は、ステップＳ２０３からステップＳ２０４に進み、以下、ステップＳ２０４ないしＳ２０８において、図２８のステップＳ１３５ないしＳ１３９とそれぞれ同様の処理が行われることにより、受信確認が行われる。
【０４８６】
そして、ステップＳ２０４ないしＳ２０８において、受信確認が終了すると、ステップＳ２０９において、選局制御部１１８は、図３２のステップＳ１８９の場合と同様に、選局可能リストにステーション情報が登録されているステーションである選局可能ステーションを表すマークやステーション名を、表示部７６の地図上に表示させる。
【０４８７】
その後、処理は、ステップＳ２０９からステップＳ２１０に進み、選局制御部１１８は、表示部７６の地図上に、前回、GPSモードの選局処理が行われたときには表示されていなかった新規のステーションを表すマークが表示されているかどうかを判定する。
【０４８８】
ステップＳ２１０において、表示部７６の地図上に、新規のステーションを表すマークが表示されていないと判定された場合、処理は、ステップＳ２１１をスキップして、ステップＳ２１２に進む。
【０４８９】
また、ステップＳ２１０において、表示部７６の地図上に、新規のステーションを表すマークが表示されていると判定された場合、すなわち、受信端末３３を所持するユーザが移動することにより、現在地が変化し、その結果、現在地が、新規のステーションの放送エリアに含まれることとなった場合、処理は、ステップＳ２１１に進み、選局制御部１１８は、例えば、表示部７６の地図上の、新規のステーションを表すマークを強調表示することや、スピーカ７８からビープ音等を出力すること等によって、新規のステーションの存在を、ユーザに報知して、処理は、ステップＳ２１２に進む。
【０４９０】
ステップＳ２１２及びＳ２１３では、図３２のステップＳ１９０及びＳ１９１とそれぞれ同様の処理が行われ、GPSモードの選局処理は終了する。
【０４９１】
なお、GPSモードの選局処理では、表示部７６において、図３３で説明した、地図表示モードの選局処理が行われる場合と同様の表示が行われる。
【０４９２】
また、GPSモードの選択処理では、地図を表示せずに、単に、選局可能ステーションのステーション名を表示したステーションリスト画面(図２９)を表示することが可能である。
【０４９３】
［本発明を適用したコンピュータの説明］
【０４９４】
上述したステーション３２及び受信端末３３の一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０４９５】
図３５は、上述した一連の処理をプログラムにより実行するコンピュータのハードウエアの構成例を示すブロック図である。
【０４９６】
パーソナルコンピュータ２００において、CPU（Central Processing Unit）２０１，ROM（Read Only Memory）２０２，RAM（Random Access Memory）２０３は、バス２０４により相互に接続されている。
【０４９７】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０４９８】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０４９９】
以上のように構成されるパーソナルコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【０５００】
パーソナルコンピュータ２００（CPU２０１）が実行するプログラムは、例えば、パッケージメディア等としてのリムーバブルメディア２１１に記録して提供することができる。また、プログラムは、ローカルエリアネットワーク、インターネット、ディジタル衛星放送といった、有線又は無線の伝送媒体を介して提供することができる。
【０５０１】
パーソナルコンピュータ２００では、プログラムは、リムーバブルメディア２１１をドライブ２１０に装着することにより、入出力インタフェース２０５を介して、記憶部２０８にインストールすることができる。また、プログラムは、有線又は無線の伝送媒体を介して、通信部２０９で受信し、記憶部２０８にインストールすることができる。その他、プログラムは、ROM２０２や記憶部２０８に、あらかじめインストールしておくことができる。
【０５０２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０５０３】
また、本発明の実施の形態は、上述した実施の形態に限定されるものではなく、本発明の要旨を逸脱しない範囲において種々の変更が可能である。
【０５０４】
すなわち、ステーション選択部１１７(図２３)において、ステーション情報から認識することができるエリア限定放送有効期間に、現在時刻が含まれないステーション情報は、選局可能リストから削除することができる。
【０５０５】
また、エリア限定放送は、例えば、電車やバス等の車内を放送エリアとして、乗客向けに行うことができる。
【０５０６】
この場合、放送エリア情報としては、例えば、電車やバス等を特定する情報が、地域名称、又は、送信局経度、及び、送信局緯度、並びに、送信出力のセットに代えて採用される。また、現在地としては、放送エリア情報によって特定される電車やバス等の車内にいるかどうかを表す情報を取得する必要がある。
【符号の説明】
【０５０７】
３１  地上波放送局，  ３２−１ないし３２−３  ステーション，  ３３  受信端末，  ５１  関連情報取得部，  ５２  ビデオデータ取得部，  ５３  ビデオエンコーダ，  ５４  オーディオデータ取得部，  ５５  オーディオエンコーダ，  ５６  マルチプレクサ，  ５７  送信部，  ５８，７１  アンテナ，  ７２  チューナ，  ７３  デマルチプレクサ，  ７４  ビデオデコーダ，  ７５  オーディオデコーダ，  ７６  表示部，  ７７  選択部，  ７８  表示部，  ７９  ブラウザ，  ８０  制御部，  ８１  操作部，  １１１ないし１１３  ステーション情報取得部，  １１４  登録部，  １１５  記憶部，  １１６  更新部，  １１７  ステーション選択部，  １１８  選局制御部，  ２０１  CPU，  ２０２  ROM，  ２０３  RAM，  ２０４  バス，  ２０５  入出力インタフェース，  ２０６  入力部，  ２０７  出力部，  ２０８  記憶部，  ２０９  通信部，  ２１０  ドライブ，  ２１１  リムーバブルメディア
【図１】
2011211627.tif 000003
【図２】
2011211627.tif 000004
【図３】
2011211627.tif 000005
【図４】
2011211627.tif 000006
【図５】
2011211627.tif 000007
【図６】
2011211627.tif 000008
【図７】
2011211627.tif 000009
【図８】
2011211627.tif 000010
【図９】
2011211627.tif 000011
【図１０】
2011211627.tif 000012
【図１１】
2011211627.tif 000013
【図１２】
2011211627.tif 000014
【図１３】
2011211627.tif 000015
【図１４】
2011211627.tif 000016
【図１５】
2011211627.tif 000017
【図１６】
2011211627.tif 000018
【図１７】
2011211627.tif 000019
【図１８】
2011211627.tif 000020
【図１９】
2011211627.tif 000021
【図２０】
2011211627.tif 000022
【図２１】
2011211627.tif 000023
【図２２】
2011211627.tif 000024
【図２３】
2011211627.tif 000025
【図２４】
2011211627.tif 000026
【図２５】
2011211627.tif 000027
【図２６】
2011211627.tif 000028
【図２７】
2011211627.tif 000029
【図２８】
2011211627.tif 000030
【図２９】
2011211627.tif 000031
【図３０】
2011211627.tif 000032
【図３１】
2011211627.tif 000033
【図３２】
2011211627.tif 000034
【図３３】
2011211627.tif 000035
【図３４】
2011211627.tif 000036
【図３５】
2011211627.tif 000037